(57)【要約】【課題】取引注文を管理するシステムと方法について説明する。【解決手段】一実施例は、第１トレーダーが動作させる第１サーバーから、特定証券、特定数量および特定価格の内の少なくとも１つを含む第１取引注文と１つ以上の選択基準を含む情報を受信するステップと、取引注文のデータベースが前記第１取引注文にマッチングする取引注文を含まないことを決定するステップと、前記選択基準を満たす複数のトレーダーを識別するステップと、複数の第２サーバーへ、前記特定証券、前記特定数量および前記特定価格の内の少なくとも１つを含むクエリーを送信するステップと、第２トレーダーに代わって動作する前記複数の第２サーバーの内の１つから、前記クエリーに対する肯定的な応答を受信するステップと、前記特定価格で、前記特定証券に関して、前記第１トレーダーと前記第２トレーダーとの間での取引の実行を促進するステップとを含む。【選択図】図２
2020077441.tif 000002
【特許請求の範囲】
【請求項１】
コンピュータ装置のインターフェースを用いた電子取引を促進する方法であって、当該方法は、
コンピュータが、第１のトレーダーに代わって動作する第１のサーバーのコンピュータ装置のインターフェースから、第１の取引注文及び１つ又は複数の選択基準を表すデータを含む電子通信を受信するステップであって、前記第１の取引注文は、特定証券、特定数量、及び特定価格のうちの少なくとも１つを含む、受信するステップと、
前記コンピュータが、取引注文を表すデータの電子データベースに、前記第１の取引注文とマッチングする第２の取引注文が含まれていないと判定するステップと、
前記コンピュータが、前記電子通信を受信した後に、取引注文を表すデータの前記電子データベースに、前記第１の取引注文とマッチングする第２の取引注文が含まれていないと判定したことに応答して、前記選択基準を満たす複数の第２のトレーダーを識別するステップと、
前記コンピュータが、前記複数の第２のトレーダーを識別した後に、複数の第２のサーバーのコンピュータ装置のインターフェースに、（ａ）応答の要望を示すキーと、（ｂ）前記特定証券、前記特定数量、及び特定価格のうちの少なくとも１つとを含むクエリーを表すデータを送信するステップであって、各第２のサーバーは、前記複数の第２のトレーダーのうちの１人又は複数に代わって動作する、送信するステップと、
前記キーに基づいて、前記クエリーへの応答が所望されていると判定するステップと、
前記コンピュータが、前記複数の第２のトレーダーのうちの１人に代わって動作する前記複数の第２のサーバーのうちの１つのサーバーのコンピュータ装置のインターフェースから、前記クエリーに対する肯定的な応答を表すデータを受信するステップと、
前記コンピュータが、前記クエリーに対する肯定的な応答を受信することに応じて、前記第１のトレーダーと前記複数の第２のトレーダーのうちの前記１人との間の、前記特定証券について前記特定価格での電子取引の実行を促進するステップと、を含む、
方法。
【請求項２】
前記複数の第２のトレーダーを識別するステップは、前記複数の第２のトレーダーの各々の取引履歴が前記選択基準の１つ又は複数を満たすと判定するステップを含む、請求項１に記載の方法。
【請求項３】
前記複数の第２のトレーダーの各々の前記取引履歴は肯定的な応答率を含み、前記選択基準は最小の肯定的な応答率を含み、
前記複数の第２のトレーダーの各々の前記取引履歴が前記選択基準の１つ又は複数を満たすと判定するステップは、前記複数の第２のトレーダーの各々の前記肯定的な応答率が前記最小の肯定的な応答率と等しいか又はそれを超えると判定するステップを含む、請求項２に記載の方法。
【請求項４】
前記複数の第２のトレーダーの各々の前記取引履歴は、前記特定証券に対する肯定的な応答率を含み、前記選択基準は、前記特定証券に対する最小の肯定的な応答率を含み、
前記複数の第２のトレーダーの各々の前記取引履歴が前記選択基準の１つ又は複数を満たすと判定するステップは、前記複数の第２のトレーダーの各々の前記特定証券に対する前記肯定的な応答率が、前記特定証券に対する前記最小の肯定的な応答率と等しいか又はそれを超えると判定するステップを含む、請求項２に記載の方法。
【請求項５】
前記複数の第２のトレーダーの各々の前記取引履歴は、１組の証券に対する肯定的な応答率を含み、前記選択基準は、前記１組の証券に対する最小の肯定的な応答率を含み、
前記複数の第２のトレーダーの各々の前記取引履歴が前記選択基準の１つ又は複数を満たすと判定するステップは、前記複数の第２のトレーダーの各々の前記１組の証券に対する前記肯定的な応答率が、前記１組の証券に対する前記最小の肯定的な応答率と等しいか又はそれを超えると判定するステップを含む、請求項２に記載の方法。
【請求項６】
前記１組の証券は、特定のエンティティに関連する証券を含む、請求項５に記載の方法。
【請求項７】
前記第１のサーバーは、注文管理システムを含む、請求項１に記載の方法。
【請求項８】
前記第１のサーバーは、注文管理システムと通信する、請求項１に記載の方法。
【請求項９】
前記複数の第２のサーバーのうちの少なくとも１つは、注文管理システムを含む、請求項１に記載の方法。
【請求項１０】
前記複数の第２のサーバーのうちの少なくとも１つは、注文管理システムと通信する、請求項１に記載の方法。
【請求項１１】
クエリーを送信するステップは、注文管理システムによって読み取り可能な形式で前記クエリーをフォーマットするステップをさらに含む、請求項１に記載の方法。
【請求項１２】
機器であって、当該機器は、
コンピュータ装置と、
複数の命令を記憶した非一時的な媒体と、を有しており、
前記命令が前記コンピュータ装置によって実行されたときに、前記機器に
第１のトレーダーに代わって動作する第１のサーバーのコンピュータ装置のインターフェースから、第１の取引注文及び１つ又は複数の選択基準を表すデータを含む電子通信を受信することであって、前記第１の取引注文は、特定証券、特定数量、及び特定価格のうちの少なくとも１つを含む、受信することと、
取引注文を表すデータの電子データベースに、前記第１の取引注文とマッチングする第２の取引注文が含まれていないと判定することと、
前記電子通信を受信した後に、取引注文を表すデータの前記電子データベースに、前記第１の取引注文とマッチングする第２の取引注文が含まれていないと判定したことに応じて、前記選択基準を満たす複数の第２のトレーダーを識別することと、
前記複数の第２のトレーダーを識別した後に、複数の第２のサーバーのコンピュータ装置のインターフェースに、（ａ）応答の要望を示すキーと、（ｂ）前記特定証券、前記特定数量、及び特定価格のうちの少なくとも１つを含むクエリーを表すデータを送信することであって、各第２のサーバーは、前記複数の第２のトレーダーのうちの１人又は複数に代わって動作する、送信することと、
前記キーに基づいて、前記クエリーへの応答が所望されていると判定することと、
前記複数の第２のトレーダーのうちの１人に代わって動作する前記複数の第２のサーバーのうちの１つのサーバーのコンピュータ装置のインターフェースから、前記クエリーに対する肯定的な応答を表すデータを受信することと、
前記クエリーに対する肯定的な応答を受信することに応答して、前記第１のトレーダーと前記複数の第２のトレーダーのうちの前記１人との間の、前記特定証券について前記特定価格での電子取引の実行を促進することと、を行わせる、
機器。
【請求項１３】
クエリーを送信することは、注文管理システムによって読み取り可能な形式で前記クエリーをフォーマットすることをさらに含む、請求項１２に記載の機器。
【請求項１４】
命令を記憶した非一時的なコンピュータ可読媒体であって、当該非一時的なコンピュータ可読媒体は、
前記命令が少なくとも１つのコンピュータ装置によって実行されたときに、該少なくとも１つのコンピュータ装置に、
第１のトレーダーに代わって動作する第１のサーバーのコンピュータ装置のインターフェースから、第１の取引注文及び１つ又は複数の選択基準を表すデータを含む電子通信を受信することであって、前記第１の取引注文は、特定証券、特定数量、及び特定価格のうちの少なくとも１つを含む、受信することと、
取引注文を表すデータの電子データベースに、前記第１の取引注文とマッチングする第２の取引注文が含まれていないと判定することと、
前記電子通信を受信した後に、取引注文を表すデータの前記電子データベースに、前記第１の取引注文とマッチングする第２の取引注文が含まれていないと判定したことに応じて、前記選択基準を満たす複数の第２のトレーダーを識別することと、
前記複数の第２のトレーダーを識別した後に、複数の第２のサーバーのコンピュータ装置のインターフェースに、（ａ）応答の要望を示すキーと、（ｂ）前記特定証券、前記特定数量、及び特定価格のうちの少なくとも１つを含むクエリーを表すデータを送信することであって、各第２のサーバーは、前記複数の第２のトレーダーのうちの１人又は複数に代わって動作する、送信することと、
前記キーに基づいて、クエリーへの応答が所望されていると判定することと、
前記複数の第２のトレーダーのうちの１人に代わって動作する前記複数の第２のサーバーのうちの１つのサーバーのコンピュータ装置のインターフェースから、前記クエリーに対する肯定的な応答を表すデータを受信することと、
前記クエリーに対する肯定的な応答を受信することに応答して、前記第１のトレーダーと前記複数の第２のトレーダーのうちの前記１人との間の、前記特定証券について前記特定価格での電子取引の実行を促進することと、を行うように指示するように構成される、
非一時的なコンピュータ可読媒体。
【請求項１５】
クエリーを送信することは、注文管理システムによって読み取り可能な形式で前記クエリーをフォーマットすることをさらに含む、請求項１４に記載の非一時的なコンピュータ可読媒体。
【発明の詳細な説明】
【技術分野】
【０００１】
関連出願の相互参照
本出願は、２００７年１１月１５日に出願された、「取引システム製品および処理」という名称の米国特許出願番号第６０／９８８，４２６号の優先権を主張するものである。
【背景技術】
【０００２】
添付の図面は一定縮尺で描くことを意図していない。図面では、種々の図中に示す同一又は類似の構成要素の各々は同様の参照番号で表す。明瞭にするために、必ずしも全ての構成要素を、符号付け又は操作識別しているとは限らない。
【図面の簡単な説明】
【０００３】
【図１】いくつかの実施例による、１つ以上の動作を実行するために使用することのできるコンピュータシステム・アーキテクチャを示す図である。
【図２】いくつかの実施例による、１つ以上の動作を実行するために使用することのできるサーバーのネットワークを示す図である。
【図３】いくつかの実施例によって実行することのできる処理の例を示す図である。
【図４】いくつかの実施例によって実行することのできる別の処理の例を示す図である。
【図５】いくつかの実施例によって実行することのできる別の処理の例を示す図である。
【発明を実施するための形態】
【０００４】
金融商品のトレーダーは、彼らが売りまたは買いに興味を持つ証券に関して、市場に情報を明かすことを時として好まない。これは、いくつかのエンティティがある金融商品に対して大量取引の手配を行うことに興味を持っているという情報の公開が、取引の発生する前にその証券の市場に影響を与える可能性を持つ大きな取引に関しては、特にそうである。トレーダーが大口注文の情報の掲示をためらうと、市場の流動性を妨げることになる。
【０００５】
取引注文の管理と、取引を行う相手を見つける手配をトレーダーのために行うシステムと方法を本明細書に記載する。本明細書に記載のシステムと方法のいくつかの実施例の１つの利点は、それらがより多くの情報の秘密を保ち、そして従来のシステムよりも長い間秘密を保つことができるという点である。
【０００６】
下記のＩからＸのセクション（節）は、本願を解釈するにあたってのガイドを提供する。
【０００７】
（Ｉ．用語）
「製品」という用語は、特に断りのない限り、あらゆる機械、物質の製造品及び／又は組み立て品を意味する。
【０００８】
「処理」という用語は、特に断りのない限り、あらゆる処理、アルゴリズム、方法等を意味する。
【０００９】
各処理（方法、アルゴリズム、又は他のように称しても）は、本質的に１つ以上のステップを含み、従って、処理の「ステップ」の参照全てが、「処理」又は類似の用語の単なる列挙において固有の根拠を有する。従って、  請求項中の処理の「ステップ」のあらゆる参照は、十分な根拠を有する。
【００１０】
「発明」等は、特に断りのない限り、「本願中に開示された１つ以上の発明」を意味する。
【００１１】
「ある実施例」、「実施例」、「その実施例」、「１つ以上の実施例」、「いくつかの実施例」、「特定実施例」、「一実施例」、「他の実施例」、等は、特に断りのない限り、「本発明の（全部ではないが）１つ以上の実施例」を意味する。
【００１２】
発明の「変形」とは、特に断りのない限り、発明の実施例を意味する。
【００１３】
実施例の説明の中の「他の実施例」の参照は、特に断りのない限り、参照する実施例が他の実施例（例えば、参照する実施例の前に説明した実施例）と相互排他的であることを暗に意味しない
【００１４】
「含む」、「有する」という用語及びこれらの変形は、特に断りのない限り、「含むが、それに限らない」ことを意味する。
【００１５】
「ある」及び「その」という用語は、特に断りのない限り、「１つ以上の」ということを意味する。
【００１６】
「複数の」という用語は、特に断りのない限り、「２つ以上の」ということを意味する。
【００１７】
「本明細書に」という用語は、特に断りのない限り、「本願において、参照によって組み込まれるあらゆるものを含む」ということを意味する。
【００１８】
「〜の中の少なくとも１つ」という言い回しは、特に断りのない限り、こうした言い回しが（物を列挙したリストのような）複数のものを修飾する際は、これらのものの１つ以上のあらゆる組合せを意味する。例えば、「小型装置、自動車及び車輪の中の少なくとも１つの」という言い回しは、(i)小型装置、(ii)自動車、(iii)車輪、(iv)小型装置及び自動車、(v)小型装置及び車輪、(vi)自動車及び車輪、あるいは(vii)小型装置、自動車及び車輪、のいずれかを意味する。「〜の中の少なくとも１つの」という言い回しは、このような言い回しが複数のものを修飾する際は、複数のものの「それぞれの中の１つ」を意味しない。
【００１９】
「１」、「２」などの数に関する用語は、何か（例えば１つの小型装置、２つの小型装置など）の数量を示す基数として使用される場合には、その数に関する用語によって示される数量を意味するが、その数に関する用語によって示される数量を下らない数を意味するものではない。例えば、「１つの小型装置」という言い回しは、「少なくとも１つの小型装置」を意味するのではない、従って、「１つの小型装置」とう言い回しは、例えば２つの小型装置をカバーしない。
【００２０】
「〜に基づいて」という言い回しは、特に断りのない限り、「〜のみに基づいて」を意味するものではない。つまり、「〜に基づいて」という言い回しは、「〜のみに基づいて」及び「少なくとも〜に基づいて」の両方を意味する。「少なくとも〜に基づいて」という言い回しは、「少なくとも〜の一部に基づいて」とう言い回しと同等である。
【００２１】
「〜を表す」という用語及び類似の用語は、特に断りのない限り、排他的ではない。例えば、「〜を表す」という用語は、特に断りのない限り、「〜のみを表す」ことを意味しない。つまり、「データはクレジットカード番号を表す」という言い回しは、「データはクレジットカード番号のみを表す」と「データはクレジットカード番号と、何か他のことも表す」の両方を意味する。
【００２２】
「〜によって」という用語は、前に、そして明示的に記載された何かの意図された結果、目的又は結論のみを表す節又は他の一連の言葉を先行するためのみに用いられる。従って、請求項の中で「〜によって」という用語が用いられる場合には、「〜によって」という用語が修飾する節又は他の言葉は、当該請求項を特にさらに制限するものではなく、当該請求項の意味又は範囲を限定するものでもない。
【００２３】
「例えば」という用語及び類似の用語は「例として」を意味し、従って、それによって説明する用語や言い回しを限定しない。例えば、「コンピュータがインターネット上でデータ（例えば命令、データ構造）を送信する」という文章では、「例えば」は、「命令」が、コンピュータがインターネット上に送信することのできる「データ」の例であることを説明し、また「データ構造」も、コンピュータがインターネット上に送信することのできる「データ」の例であることを説明する。しかし、「命令」及び「データ構造」は共に「データ」の単なる例に過ぎず、「命令」及び「データ構造」以外の他のものも「データ」であり得る。
【００２４】
「それぞれの」という用語及び類似の用語は、「個々に見て」ということを意味する。従って、２つ以上の物事が「それぞれの」特性を持つ場合、そういった物事の各々はそれ自体の特性を持ち、そしてこれらの特性は互いに異なり得るが、そうである必要はない。例えば、「２つの機械の各々はそれぞれの機能を持つ」という言い回しは、第１のこのような機械はある機能を持ち、第２のこのような機械もある機能を持つことを意味している。
第１の機械の機能は第２の機械の機能と同じであってもよいし、同じでなくてもよい。
【００２５】
「すなわち」という用語及び類似の用語は、「つまり」という意味であり、従って、それが説明する用語又は言い回しを制限する。例えば、「コンピュータはインターネット上でデータ（すなわち命令）を送信する」という文章では、「すなわち」という用語は、「命令」が、コンピュータがインターネット上で送信する「データ」であると説明している。
【００２６】
どんな数値的範囲も、その範囲内の整数と端数を含むものとする。例えば、「１から１０まで」の範囲は具体的に、１と１０の間の整数（例えば、１，２，３，４、・・・９）と非整数（例えば１．１、１．２、．．．１．９）を含むと解釈するものとする。
【００２７】
「取引の実行を促進する」という言い回しは、「取引が完了するためのどんな必要な機能も実行する」という意味である。例えば、「取引の実行を促進すること」には、適切な手形交換所にデータを送信して、特定の価格（例えば、交渉のためのさらなる機会なしで）で特定の証券の取引が２つのエンティティの間で実行されるようにすることを含む。
【００２８】
「〜と通信して」という言い回しは、「データを〜に送信する及び／又は〜から受信することができる」という意味である。例えば、第２サーバー「と通信している」第１サーバーを、インターネットのようなネットワークを介してその第２サーバーに接続することができる。サーバーは、もしもそれが別のサーバーと「通信している」場合、その別のサーバーと「通信する」ことができる。
【００２９】
「証券」という用語は、あらゆる市場で取引きされる金融商品という意味である。例えば、「証券」には、有価証券、株券、債券、先物、オプション、フォワード、コール、プット、スワップ、カラー、契約通貨及び／又はその他を含むことができる。
【００３０】
「キー」という用語は、「受信サーバーによって解釈されることができ、そのサーバーからの応答が所望されるものか、あるいは廃棄されるであろうものかを示す、パケット、ストリングなどの、データのあらゆるセグメント」を意味する。
【００３１】
「市場価格」という言い回しは、「その価格でその証券を購入または売ることのできる、その特定証券の市場での価格」を意味する。「市場価格」という言い回しは、オファーが行われた時、オファーが承諾された時、その取引が決済された時の市場価格、  オファーが行われた、又は承諾された日の市場開始または市場終了時の市場価格、または他の時の市場価格をさす。「市場価格」という言い回しはまた、オファーが行われた時、オファーが承諾された時、その取引が決済された時の市場価格、オファーが行われた、又は承諾された日の市場開始または市場終了時の市場価格、または他の時の市場中央値も含む。市場中央値とは、市場の最善の買値と最善の売値のまさに中間の価格である。
【００３２】
「マッチング取引注文」とう言い回しは、「お互いに取引を成立することができる第１の取引注文と十分なパラメータを共有する第２の取引注文」を意味する。マッチング取引注文は、それに対して取引を成立させる取引注文の一部のみに応じる。例えば、第１の取引注文は、マイクロソフト社の株を１株あたり＄５０で１０，０００株買うとオファーし、第２の取引注文は同じ価格でマイクロソフト社の株を５，０００株売るとオファーする場合、第１の取引注文の一部のみに応じるが、マッチング取引注文とすることができる。第１の取引注文の特定証券、特定数量または特定価格が変動する、あるいは変化する場合（特定証券、特定数量、特定価格の定義を参照のこと)、第２の取引注文は第１の取引注文に示された範囲または列挙の範囲内とすることによって、マッチング取引注文とすることができる。例えば、第１の取引注文がマイクロソフト社の株を１株あたり＄５０以下で１０，０００株買うオファーをする場合、１株あたり＄４９でマイクロソフト社の株を１０，０００株売る第２の取引注文は、マッチング取引注文である。
【００３３】
「注文管理システム」という言い回しは、「買い方であろうと売り方であろうと、機関のトレーダーであろうとブローカーであろうと、金融商品の取引注文を実行するために構成されるあらゆるコンピュータ、市場に参加する人と関連するコンピュータ」を意味する。
【００３４】
「見計らい取引注文」という言い回しは、「サーバーが、記憶された取引注文にマッチングする別の取引注文の有無に関する情報を受信すると、当該サーバーがマッチング取引注文に対して、当該記憶された取引注文の取引を行う意図を示す（例えば情報を送信することによって）ように、サーバーに記憶された取引注文」を意味する。
【００３５】
トレーダーに代わってオファーを提示したり、または取引に参加するために「動作可能な」コンピュータは、いくつかの実施例において、ユーザーからの入力の受信に応じて、トレーダーに代わってオファーを提示したり、取引に参加することができる。他の実施例では、トレーダーに代わってオファーを提示したり、または取引に参加するために「動作可能な」コンピュータは、ユーザーから入力を受信せずに、トレーダーに代わってオファーを提示したり、取引に参加することができる。
【００３６】
「肯定的な応答」という言い回しは、「クエリーに提供されたパラメータ(特定証券、特定数量及び／又は特定価格)で取引を行うことへの興味〔関心〕を示す、クエリーへの応答」を意味する。肯定的な応答は、例えば、クエリーが確定したオファーを含む場合などの、拘束力を持つ承諾であってもよい。クエリー（または対応する取引注文）が全てのパラメータを特定していない場合、またはクエリーがいくつかのパラメータの範囲を特定している場合、肯定的な応答は取引を明確にするために必要なパラメータのいくつか、または全てを含むことができる。例えば、クエリーが最大３０，０００株までの有価証券の売りのオファーを含む場合、肯定的な応答は、有価証券１０，０００株を買う意図を示すことができる。
【００３７】
「肯定的な応答率」という言い回しは、「サーバーが肯定的な応答を与えた、当該サーバーによって以前に受信されたクエリーのパーセンテージ」を意味する。
【００３８】
「クエリー」という用語は、「例えば、取引注文または取引注文の一部を含むデータ伝達などの、１つのコンピュータから別のコンピュータへ伝達されるあらゆるデータ」を意味する。
【００３９】
「選択基準」という用語は、取引注文を出すエンティティがそれに基づいて、第１トレーダーが取引のオファーを伝達する興味を持っている他のエンティティのパラメータ、挙動、好みあるいは他の様相を特定することのできるあらゆる基準」である。選択基準は、取引注文に関するクエリーを受信するサーバー、取引注文の取引を行うトレーダー、またはこれらのあらゆる組み合わせに適用することができる。
【００４０】
「サーバー」という用語は、データの送信、受信または処理；データベースへの情報の書き込みまたはデータベースからの情報の検索；データが特定の基準を満たすかどうかの決定などの特定の機能を実行するようにプログラムすることのできるあらゆるコンピュータまたは同様の機能」を意味する。
【００４１】
「特定証券」という言い回しは、具体的な証券（例えば、コカコーラ株）または証券のグループ（例えばフォーチュン１００株）；  列挙された１セットの証券(例えば、コカコーラ株またはペプシ株；コカコーラ株またはマイクロソフトのデリバティブ)；特定の特性または１セットの特性を共有する証券のあらゆるグループ（例えば、航空会社の株；石油先物；＄１０億以上の利益を報告する会社の株）；その価格が他の特定証券の価格と相関する１セットの証券（例えば、コカコーラ株又はその価値がコカコーラ株の価値に対して０．５以上の相関を持つあらゆる株)；及び／又はこれらの任意の組み合わせなどの、特定された証券の選択を含む。
【００４２】
「特定価格」という言い回しは、「トレーダーが取引を行う興味を持つ、承諾可能な価格または価格の範囲を決定するのに十分な情報」を意味する。特定価格は特定の単価(例えば１株あたり＄５０)、最小単価（例えば１株あたり＄５０以上)、最大単価(例えば１株あたり＄５０以下)、単価の範囲（例えば１株あたり＄４９から＄５１）、及び／又はこれらの任意の組み合わせであってもよい。特定価格は、特定のバルク価格（例えば＄５０，０００）、最小バルク価格（例えば＄５０，０００以上）、最大バルク価格（例えば＄５０，０００以下）、バルク価格の範囲（例えば＄４９，０００から＄５１，０００）及び／又はこれらの任意の組み合わせであってもよい。特定価格は、例えば、オファーが行われる時刻、オファーが承諾される時刻、取引が決算される時刻、オファーが行われたまたは承諾された日の市場開始または市場終了時、またはその他の時刻の市場価格などの市場価格に関して与えることができる。特定価格は、市場価格（例えば、市場価格プラスマイナス１／２ポイント；市場価格以上）を参照して定められる価格または価格の範囲であってもよい。特定価格は、市場中央価格または市場中央価格を参照して特定される価格であってもよい。特定価格が提供されない場合、取引システムはオファーが行われるまたは承諾される時刻、取引が決済される時刻またはその他の時刻で市場価格にデフォルトしてもよい。あるいは、特定価格が提供されない場合、取引システムはオファーが行われるまたは承諾される時刻、取引が決済される時刻またはその他の時刻で市場中央値価格にデフォルトしてもよい。
【００４３】
「特定数量」という言い回しは、「トレーダーが取引を行うことに興味を持つ証券の承諾可能な量または量の範囲を何らかの方法で特定すること」を意味する。特定数量は、具体的な数量（例えば１０，０００株）、最小数量(例えば５，０００株以上)、最大数量(例えば１０，０００株以下)、数量の範囲(例えば５，０００から１０，０００株)及び／又はそれらの任意の組み合わせを意味する。特定数量はまた、増分（例えば５，０００から１０，０００株は５００株の増分、５，０００株以下は１，０００株の増分）を含むこともできる。
【００４４】
「取引注文」という言い回しは、「証券の売買のあらゆるオファーを意味しており、例えば、特定価格で特定数量の特定証券の売買をオファーすること」を意味する。取引注文は確定オファーであってもよいし、条件付きのオファーであってもよい。
【００４５】
「トレーダー」という用語は、「有価証券の売買のための取引に参加することのできるあらゆる人、またはトレーダーに代わってこのような取引に参加することのできる人またはエンティティ」を意味する。トレーダーは買い手の人またはエンティティあるいは売り手の人またはエンティティであってもよい。トレーダーは、トレーダーの取引を完了させる意図を反映させる取引に参加するオファーを提示することができる。トレーダーは、注文管理システムを含むか、または注文管理システムの一部であるコンピュータを含むが、これに限定されないコンピュータを介して、このようなオファーを提示することができる。
トレーダーは、オファーを提示する、及び／又はトレーダーに代わって取引に参加するべく動作可能なコンピュータによって代表されることができる。例えば、このようなコンピュータは、拘束力のあるオファーを承諾する、及び／又は、もしも承諾された場合には、当該トレーダーを当該取引にバインドするべく動作可能であってもよい。このようなコンピュータは、人の入力がある、または人の入力なしで、オファーを承諾すべく動作可能であってもよい。
【００４６】
「取引履歴」という用語は、「トレーダーの以前の取引及び／又はクエリーに対する応答に関する情報（例えばデータベースの記録）」を意味する。取引履歴は、トレーダーが取引を行った証券、価格および数量、トレーダーが肯定的に応答したクエリー(及び／又は関連する取引パラメータ)、トレーダーが否定的に応答したクエリー(及び／又は関連する取引パラメータ)などを含むが、これらに限定されない。取引履歴はまた、特定の証券、特定の種類の証券（例えば、株、投資信託株）、特定のエンティティに関する証券、特定の産業に関する証券、一定の時価総額（小型株、中型株、大型株など）、代替可能な証券への肯定的な応答率を（制限なく）含む取引の区分よって選択可能な情報も含むことができる。取引履歴は、例えば、サーバーが肯定的な応答を出したクエリーや関連する取引パラメータなどのような、特定のトレーダーというよりはむしろ特定のサーバーに関連するような情報であってもよい。
【００４７】
２つ以上の用語または言い回しが同義語である場合（例えば、用語または言い回しが同義語であるという例示的な説明のため）には、１つのそのような用語／言い回しの例は、他のそのような用語／言い回しの例が異なる意味を持たなくてはならないということを意味するものではない。例えば、説明では「含む」の意味が「含むが〜に限定されない」となっている場合、「含むが〜に限定されない」という言い回しの単なる使用は、「含む」という用語が「含むが〜に限定されない」以外のことを意味するということを意味していない。
【００４８】
（ＩＩ．決定する）
「決定する」という用語及びその文法的変形（例えば、価格を決める、値を決める、ある基準を満たす目的を決める、など）は非常に幅広い意味で用いられる。「決定する」という用語は様々な行為を含むので、従って、「決定する」は、計算する、算出する、処理する、導き出す、調査する、調べる（例えば、表、データベース又はその他のデータ構造で調べる）、解明するなどを含むことができる。また「決定する」は、受信する（例えば、情報を受信する）、アクセスする（例えば、メモリデータにアクセスする）なども含むことができる。また「決定する」は、決断する、選択する、選定する、確立するなども含むことができる。
【００４９】
「決定する」という用語は、確実性又は絶対的正確さを暗に意味せず、従って「決定する」は、推定する、予測する、推量する、等を含むことができる。
【００５０】
「決定する」という用語は、数学的処理を実行しなければならないことを暗に意味せず、数値的方法を用いなければならないことを暗に意味せず、そしてアルゴリズム又は処理を使用することを暗に意味しない。
【００５１】
「決定する」とは、何れかの特定装置を使用しなければならないことを暗に意味しない。例えば、コンピュータは必ずしも決定を実行する必要はない。
【００５２】
（ＩＩＩ．文章の形式）
第１請求項の限定が特徴の１つ並びに特徴の２つ以上をカバーし（例えば、「少なくとも１つの小型装置」のような限定が、１つの小型装置並びに２つ以上の小型装置をカバーする）、そして第１請求項に従属する第２請求項の中で、第２請求項がこの限定を参照すべく「前記」を用いる（例えば、「前記小型装置」）場合には、このことは、第１請求項が特徴の１つだけをカバーすることを暗に意味せず、第２請求項が特徴の１つだけをカバーすることを暗に意味しない（例えば、「前記小型装置」は、１つの小型装置及び２つ以上の小型装置を共にカバーし得る）。
【００５３】
（（「第１」、「第２」、「第３」等のような）序数を用語の前の形容詞として用いる際は、この序数は（特に断りのない限り）、特定の特徴を同じ用語又は類似の用語によって記述される他の特徴と区別することのように、単にその特定の特徴を示すために用いるに過ぎない。例えば、「第１小型装置」は、単に、例えば「第２小型装置」と区別するためだけに、そうした名称にする。従って、「小型装置」の前に、単に序数「第１」及び「第２」を用いることは、２つの小型装置間の他の関係を示すものではなく、同様に、どちらか、あるいは両方の小型装置の他の特徴を示すものではない。例えば、「小型装置」という用語の前に序数「第１」及び「第２」を単に用いることは、（１）いずれかの小型装置が順序的又は位置的に、他の小型装置の前又は後に来ることを示さず；（２）いずれかの小型装置が、時間的に、他の小型装置の前又は後に発生又は動作することを示さず；そして（３）いずれかの小型装置が、重要度又は品質において、他の小型装置の上位又は下位に位置することを示さない。さらに、序数の単なる使用は、この序数で識別される特徴に数値限定を規定しない。例えば、単に、「小型装置」という用語の前に序数「第１」及び「第２」を用いることは、２つ以下の小型装置しか存在してはならないことを示すものではない。
【００５４】
本明細書に単一の装置、品物又は他の製品を記載する際は、記載されている単一の装置／品物の代わりに、２つ以上の装置／品物を（協働するか否かにかかわらず）用いることができる。従って、ある装置が有するものとして記載されている機能は、２つ以上の装置／品物（協働するか否かにかかわらず）が代わりに有することができる。
【００５５】
同様に、本明細書で２つ以上の装置、品物又は他の製品を（協働するか否かにかかわらず）記載する場合は、記載されている２つ以上の装置又は品物の代わりに、単一の装置／品物を用いることができる。例えば、複数のコンピュータベースの装置は、単一のコンピュータベースの装置に置き換えることができる。従って、２つ以上の装置又は品物が有するものとして記載されている様々な機能は、単一の装置／品物が代わりに有することができる。
【００５６】
記載されている単一装置の機能及び／又は特徴は、記載されてはいるがこうした機能／特徴を有するものとして明示的に記載されていない、１つ以上の他の装置によって代わりに具体化することができる。従って、他の実施例は、記載されている装置自体を含む必要はないが、これらの他の実施例では、こうした機能／特徴を有する１つ以上の他の装置を含むことができる。
【００５７】
（ＩＶ．開示されている例及び用語は限定的でない）
（本願の第１ページの先頭に記載されている）発明の名称も、（本願の最後に記載されている）要約も、本発明の範囲を何らかの形で限定するものと解釈すべきでなく、請求項の意味の解釈に使用すべきでなく、あるいは請求項の請求の範囲を制限するように使用すべきでない。３７Ｃ．Ｆ．Ｒ．§１．７２(ｂ)（米国特許商標庁施行規則第１．７２条第ｂ項）により、単に要約が要求されているので、要約を本願に含めたに過ぎない。
【００５８】
本願の発明の名称、及び本願中に提供されるセクション（節）の見出しは、便宜上のものに過ぎず、開示を何らかの形で限定するものと解釈すべきでない。
【００５９】
多くの実施例が本願に記載されており、これらは例示目的のためのみに提示されている。記載している実施例はあらゆる意味で限定的ではなく、そして限定することを意図したものではない。開示する本発明は、開示によってすでに明らかなように、多くの実施例に幅広く適用することができる。本発明は、構造的、論理的、ソフトウェア的及び電気的変更のような様々な変更及び変形で実施することができることは、当業者の認めるところである。本発明の特定の特徴を、１つ以上の特定実施例及び／又は図面を参照して説明することができるが、特に断りのない限り、こうした特徴は、これらの特徴を説明するために参照する１つ以上の特定実施例又は図面中での使用に限定されないことを理解されたい。
【００６０】
本願に記載する方法のステップ又は製品の構成要素の実施例はいずれも本明細書の発明を構成するものではない、あるいは本願の発明に必須なものではない、又は本明細書の発明と同一の範囲ではない。ただし、本明細書において明示的にそのように述べられている場合または請求項に明示的に記述されている場合を除く。
【００６１】
請求項の前文は、当該請求項に係わる発明の目的、利点及び可能な用法を挙げるに過ぎず、請求項に係る発明を限定するものではない。
【００６２】
本開示は本発明の全ての実施例の文字による説明ではない。また、本開示は、全ての実施例に含まれなくてはならない発明の特徴を列挙したものではない。
【００６３】
特に断りのない限り、互いに通信するものと記載される装置は、連続的な互いの通信である必要はない。むしろ、このような装置は必要な場合又は望まれる場合のみに互いに送信を行う必要があり、ほとんどの時間はデータの交換を実際には行わなくてもよい。例えば、別の機械とインターネットを介して通信を行っている機械は、他の機械と長時間の間（例えば何週間も）データの通信を行わなくても良い。さらに、互いに通信を行う装置は１つ以上の中間手段を使って、直接的または間接的に通信を行ってもよい。
【００６４】
いくつかの構成要素又は特徴を有する実施例の説明は、こうした構成要素／特徴の全てまたはいずれかが必要であることを暗に意味しない。それどころか、本発明の種々の可能な実施例を例示するために、種々の任意選択的な構成要素を記載している。特に断りのない限り、必須であるかまたは要求される構成要素／特徴はない。
【００６５】
処理ステップ、アルゴリズム、等は、特定の順次的な順番に記載することができるが、こうした処理は異なる順序で動作するように構成することができる。換言すれば、明示的に記載または主張することのできるステップの何れの順序又は順番も、そのステップをその順序で実行することの要求を必ずしも示すものではない。本明細書に記載する処理のステップは、可能な任意の順序で実行することができる。さらに、いくつかのステップは、（例えば、１つのステップが他のステップの後に記載されているので）非同時に発生するように記載又は暗示されていても、同時に実行することができる。さらに、図面中に描画することによる処理の例示は、例示する処理が、この処理に対する他の変形及び変更を排除することを暗に意味するものではなく、例示する処理又はそのステップのいずれもが、本発明にとって必要であることを暗に意味するものではなく、そして例示する処理が好適なものであることを暗に意味するものではない。
【００６６】
処理は複数のステップを含むものとして記載することができるが、このことは、これらのステップの全部又はいずれかが好適、必須又は必要であることを暗に意味しない。本発明の範囲内の他の種々の実施例が、記載されているステップの一部又は全部を省略する他の処理を含むことができる。特に断りのない限り、必須であるか要求されるステップはない。
【００６７】
処理は、単独で、あるいは他の製品又は方法を参照せずに説明することができるが、一実施例では、当該処理は、他の製品又は方法と相互作用することができる。例えば、こうした相互作用は、１つのビジネスモデルを他のビジネスモデルにリンクすることを含むことができる。こうした相互作用は、処理の柔軟性又は望ましさを増強するために提供することができる。
【００６８】
製品は複数の構成要素、態様、品質、特性及び／又は特徴を含むものとして記載することができるが、これは、それら複数のもののいずれか又は全てが好適、必須、又は必要とされるということではない。記載される発明の範囲内の様々な他の実施例は、記載される複数のもののいくつか又は全てを省いたその他の製品を含む。
【００６９】
アイテムを列挙したリスト（これらのアイテムは付番されていることもあるし、付番されていないこともある）は、特に断りのない限り、これらのアイテムのいずれか又は全部が互いに排他的であることを暗に意味しない。同様に、アイテムを列挙したリスト（これらのアイテムは付番されていることもあるし、付番されていないこともある）は、特に断りのない限り、これらのアイテムのいずれか又は全部が、いずれかのカテゴリーを包括することを暗に意味しない。例えば、「コンピュータ、ラップトップ（コンピュータ）、ＰＤＡ」を列挙したリストは、このリストのこれら３つのアイテムのいずれか又は全部が互いに排他的であることを暗に意味せず、このリストのこれら３つのアイテムのいずれか又は全部がいずれかのカテゴリーを包括することを暗に意味しない。
【００７０】
また、アイテムを列挙したリスト（これらのアイテムは付番されていることもあるし、付番されていないこともある）は、これらのアイテムのいずれか又は全部が互いに等価又は互いに直ちに代替されることを暗に意味しない。
【００７１】
全ての実施例は説明のためのものであり、本発明又は実施例が場合場合によって作られる又は実行されることを暗に意味しない。
【００７２】
（Ｖ．計算）
本明細書に記載される様々な処理は例えば、適切にプログラムされた汎用コンピュータ、特定用途向けコンピュータ及び計算装置によって実行することができることは、当業者にとってすぐに明らかとなるだろう。一般に、プロセッサ（例えば１つ以上のマイクロプロセッサ、１つ以上のマイクロコントローラ、１つ以上のデジタル信号プロセッサ）は命令を（例えばメモリ又は類似の装置から）受信し、それらの命令を実行し、それによって、それらの命令によって規定される１つ以上の処理を実行する。命令は、例えば１つ以上のコンピュータプログラム、１つ以上のスクリプト内で具体化することができる。
【００７３】
「プロセッサ」は、アーキテクチャ（例えば、チップレベルのマルチプロセッシング／マルチコア、ＲＩＳＣ，ＣＩＳＣ，Ｍｉｃｒｏｐｒｏｃｅｓｓｏｒ  ｗｉｔｈｏｕｔ  Ｉｎｔｅｒｌｏｃｋｅｄ  Ｐｉｐｅｌｉｎｅ  Ｓｔａｇｅｓ（パイプラインステージがインターロックされないマイクロプロセッサ）、パイプラインの配置、同時マルチスレディング）にかかわらず、１つ以上のマイクロプロセッサ、中央処理装置（ＣＰＵ），計算装置、マイクロコントローラ、デジタル信号プロセッサ、又は類似の装置、あるいはこれらの任意の組合せを意味する。
【００７４】
従って、処理の説明は、当該処理を実行する装置の説明でもある。当該処理を実行する装置は、例えば、当該処理の実行に適したプロセッサ及びそれらの入力装置と出力装置を含むことができる。
【００７５】
さらに、こうした方法（並びに他の種類のデータ）を実現するプログラムは、種々の媒体（例えば、コンピュータ可読媒体）を使用して多数の様式で記憶及び送信することができる。いくつかの実施例では、ハードワイヤ（ハードウェア配線）回路又はカスタムハードウェアを、種々の実施例の処理を実現することのできるソフトウェア命令の一部又は全部の代わりに、あるいはこれらと組み合わせて使用することができる。従って、ハードウェアとソフトウェアの種々の組合せを、ソフトウェアのみの代わりに用いることができる。
【００７６】
「コンピュータ可読媒体」とは、コンピュータ、プロセッサ、又は類似の装置によって読み出すことのできるデータ（例えば、命令、データ構造）を提供することに関与するあらゆる媒体、複数の媒体、又は異なる媒体の組み合わせをさす。こうした媒体は、不揮発性媒体、揮発性媒体、及び伝送媒体を含む多数の形態をとることができるが、これらに限定されない。不揮発性媒体は、例えば、光又は磁気ディスク及び他の持続性メモリを含む。揮発性媒体は、一般にメインメモリを構成するダイナミック・ランダムアクセスメモリを含む。伝送媒体は、プロセッサに結合されたシステムバスを構成するワイヤを含む、同軸ケーブル、銅線、及び光ファイバーを含む。伝送媒体は、無線周波数（ＲＦ）及び赤外（ＩＲ）データ通信中に発生されるような、音波、光波、及び電磁放射を含むかまたは搬送することができる。コンピュータ可読媒体の一般的形態は、例えば、フロッピー（登録商標）ディスク、フレキシブルディスク、ハードディスク、磁気テープ、他のあらゆる磁気媒体、ＣＤ−ＲＯＭ、ＤＶＤ、他のあらゆる光媒体、パンチカード、紙テープ、孔のパターンを有する他のあらゆる物理媒体、ＲＡＭ、ＰＲＯＭ、ＥＰＲＯＭ、フラッシュＥＥＰＲＯＭ、他のあらゆるメモリチップ又はカートリッジ、下記に記載する搬送波、あるいはコンピュータが読み出すことのできる他のあらゆる媒体を含む。
【００７７】
コンピュータ可読媒体の種々の形態は、データ（例えば、命令の列）をプロセッサに搬送することに関与させることができる。例えば、データは、(i)ＲＡＭからプロセッサに送ることができ；(ii)無線伝送媒体上で搬送することができ；(iii)イーサネット（登録商標）(又はＩＥＥＥ  ８０２．３)、ＳＡＰ、ＡＴＰ、ブルートゥース（登録商標）、ＴＣＰ／ＩＰ、ＴＤＭＡ、ＣＤＭＡ、及び３Ｇのような多数のフォーマット、規格、又はプロトコルに従ってフォーマット化及び／又は伝送することができ；及び／又は(iv)当技術分野で周知である種々の方法のいずれかで暗号化して、プライバシーを保証又は不正を防止することができる。
【００７８】
従って、処理の説明は、この処理を実行するためのプログラムを記憶するコンピュータ可読媒体の説明でもある。このコンピュータ可読媒体は、この方法を実行するのに適したプログラム要素を（任意の適切なフォーマットで）記憶することができる。
【００７９】
処理中の種々のステップの説明が、説明した全てのステップを必要とすることを示すものではないのと同様に、装置の実施例は、説明した処理のいくつか（必ずしも全てではない）を実行すべく動作可能なコンピュータ／計算装置を含むことができる。
【００８０】
同様に、処理中の種々のステップの説明が、説明した全てのステップを必要とすることを示すものではないのと全く同様に、プログラム又はデータ構造を記憶するコンピュータ可読媒体の実施例は、実行時に、プロセッサに説明した処理のいくつか（必ずしも全てではない）を実行させることができるプログラムを記憶するコンピュータ可読媒体を含む。
【００８１】
データベースを説明する際は、(i)説明したものに代わるデータベース構造を容易に採用することができる、及び(ii)データベース以外の他のメモリ構造を容易に採用することができることは、当業者にとって明らかである。本明細書に提示したあらゆるサンプルデータベースのあらゆる説明または記載は、情報の記憶表現の例示的構成である。例えば、図面又はその他の箇所で説明した表などによって提案したものに加え、どんな数の他の構成も採用することができる。同様に、説明されたあらゆるデータベースのエントリーは、例となる情報のみを示すものであり、当業者は、それらのエントリーの数と内容が本明細書に記載するものとは異なることを理解することができよう。さらに、表としてのデータベースの描写にかかわらず、他のフォーマット（リレーショナル（関係型）データベース、オブジェクトベースのモデル、及び／又は分散型データベースを含む）を用いて、本明細書で説明したデータタイプを記憶し操作することができる。同様に、データベースのオブジェクトメソッド又は挙動を用いて、本明細書で説明した種々の処理を実現することができる。これに加えて、このデータベースは、既知の方法で、こうしたデータベース内のデータにアクセスする装置にローカルに記憶するか、この装置から遠隔的な所に記憶することができる。
【００８２】
種々の実施例を、１つ以上の装置と（例えば、通信ネットワークを介して）通信するコンピュータを含むネットワーク環境で動作するように構成することができる。コンピュータは、あらゆる有線又は無線媒体（例えば、インターネット、ＬＡＮ、ＷＡＮ又はイーサネット（登録商標）、トークンリング、電話回線、ケーブル回線、無線チャンネル、光通信回線、業務用オンラインサービスプロバイダ、電子掲示板システム、衛星通信リンク、以上の任意の組合せ）を介して、これらの装置と直接又は間接的に通信することができる。各々の装置はそれ自体、コンピュータと通信するために採用される、インテル社のＰｅｎｔｉｕｍ（登録商標）又はＣｅｎｔｒｉｎｏ（登録商標）プロセッサに基づくものなどの、コンピュータ又はその他の計算装置を含むことができる。
【００８３】
一実施例では、サーバコンピュータ又は中央権限局は、必要でない、又は望ましくないかもしれない。例えば、本発明は、一実施例において、中央権限局のない１つ以上の装置上で実施することができる。こうした実施例では、サーバコンピュータによって実行されると本明細書に記載されたあらゆる機能又はサーバコンピュータに記憶されると本明細書に記載されたデータは、１つ以上のこうした装置によって実行又は記憶してもよい。
【００８４】
処理を説明する場合、一実施例では、処理はユーザーの介在なしで動作することができる。別の実施例では、処理は何らかの人間の介在を含む（例えば、人間によって、あるいは人間の手助けによってステップが実行される）。
【００８５】
（ＶＩ．計算用途）
本願の開示は、当業者に、いくつかの実施例及び／又は発明を可能にする説明を提供する。このような実施例及び／又は発明の一部は、本願の請求項に記載していないことがあるが、それにもかかわらず、本願に基づいて優先権を主張する１件以上の継続出願の請求項に記載することがある。
【００８６】
出願人は、追加的出願を出願して、開示され可能にされているが本願の請求項に記載されていない発明の内容について、特許取得手続きを遂行する意向がある。
【００８７】
（ＶＩＩ．３５Ｕ．Ｓ．Ｃ§１１２（米国特許法第１１２条）第６段落）
ある請求項中で、「〜する手段」又は「〜するステップ」を含む当該請求項の限定は、米国特許法第１１２条第６段落がこの限定に適用されることを意味する。
【００８８】
ある請求項の中で、「〜する手段」又は「〜するステップ」を含まない当該請求項の限定は、その限定が、ある機能を実行するための構造、材料、又は動作を記載せずに当該機能を記載しているか否かにかかわらず、米国特許法第１１２条第６段落がこの限定に適用されないことを意味する。例えば、ある請求項の中で、「〜するステップ」の単なる使用、あるいは当該請求項又は他の請求項の１つ以上のステップを参照しての「〜するステップ」の使用は、米国特許法第１１２条第６段落が当該ステップに適用されることを意味しない。
【００８９】
米国特許法第１１２条第６段落による、特定機能を実行するための手段又はステップに関しては、明細書中に記載された対応する構造、材料、又は動作、及びその等価物は、追加的機能ならびに特定機能を実行することができる。
【００９０】
コンピュータ、プロセッサ、計算装置、及び類似製品は、広範な機能を実行することのできる構造である。こうした製品は、その製品のメモリ装置又はその製品がアクセスするメモリ装置に記憶されたプログラムのような１つ以上のプログラムを実行することによって、特定機能を実行すべく動作可能である。特に断りのない限り、こうしたプログラムは、本願に開示され得るあらゆる特定アルゴリズムのような特定アルゴリズムに基づく必要はない。異なるアルゴリズムによって特定機能を実現することができ、多数の異なるアルゴリズムのいずれもが、その特定機能を実行するための単なる設計上の選択に過ぎないことは、当業者にとって周知である。
【００９１】
従って、米国特許法第１１２条第６段落による、特定機能を実行する手段又はステップに関しては、特定機能に対応する構造は、この特定機能を実行するようにプログラムされたあらゆる製品を含む。こうした構造は、この機能を実行するようにプログラムされた製品を含み、こうした製品が、(i)この機能を実行するための開示されたアルゴリズム、(ii)開示されたアルゴリズムに類似したアルゴリズム、又は(iii)この機能を実行するための異なるアルゴリズム、のいずれでプログラムされているかにはよらない。
【００９２】
方法である機能を実行する手段を記載している場合は、この方法を実行するための１つの構造は、適切なハードウェアと共にこの機能を実行するようにプログラム及び／又は構成された計算装置（例えば、汎用コンピュータ）を含む。
【００９３】
また、当該機能を適切なハードウェアと共に他のアルゴリズムによって実行するようにプログラム及び／又は構成された計算装置（例えば、汎用コンピュータ）も含むことは、当業者にとって明らかである。
【００９４】
（ＶＩＩＩ．放棄）
特定実施例の多数の参照は、追加的な異なる実施例の放棄又は否認を示すものではなく、同様に、全体が特定の特徴を含む実施例の説明の参照は、この特定の特徴を含まない実施例の放棄又は否認を示すものではない。本願中の明確な放棄又は否認は、「含まない」又は「実行することができない」によって前置きされる。
【００９５】
（ＩＸ．文献の援用）
本明細書で援用するあらゆる特許、特許出願、又は他の文献を参考文献として本特許出願に、その一部として含めるが、これは、米国特許法第１１２条第１段落による書面による説明及び利用可能性の目的のみであり、そしてこれらは本願の文言を限定、規定、さもなければ解釈するために決して用いるべきものではない、ただし、こうした参考文献の援用なしでは当業者によって通常の意味が確認可能でない場合を除く。当業者は、参考文献中に提供されるいかなる実施例によっても、決して限定される必要はない。
【００９６】
文献の援用はどれも、それ自体、当該特許出願に明示的に特定されていない限り、組み込まれた特許、特許出願書類またはその他の書類に含まれる記述、意見、反論または特徴付けの裏書き、批准または黙認を暗に意味するものではない。
【００９７】
（Ｘ．出願履歴）
本願（請求の範囲を含む）の解釈にあたり、当業者は、本願に関連すると思われる他の出願があるかどうかにかかわらず、そして、本願と優先権主張を共有するその他の特許出願があるかどうかにかかわらず、本願の出願経過を参照するものとし、他の特許または特許出願の出願経過を参照しないものとする。
【００９８】
（ＸＩ．追加の実施例）
本明細書に開示する種々の実施例は、エンティティの間で金融商品の取引を促進するためのシステムおよび方法に関するものであり、そのシステムおよび方法によって、エンティティはそのアイデンティティや当該エンティティが取引きしたいと思っている証券の全体量を明かすことなく、取引のオファーを行うことができるものである。いくつかの実施例では、例えば、第１トレーダーに代わって動作する第１サーバーは、第２サーバーに取引注文を送信する。当該取引注文は、おそらく特定価格と特定数量で特定証券の取引を行うオファーを含んでいる。その後第２サーバーは、１つ以上の第３サーバーにクエリー（問い合わせ）を行い、当該第３サーバーに関係するトレーダーの中で、当該取引注文に示される取引に興味を持つ者がいないかどうかを尋ねる。クエリーは取引注文の情報を全て含む必要はない。第３サーバーの１つがクエリーに対して肯定的に応答した場合には、第１トレーダーおよび第３サーバーと関係する第２トレーダーとの間で取引が促進される。実施例では、促進される取引は、第１トレーダーと第２トレーダーとの間のさらなる交渉の機会なしで、取引注文及び／又はクエリーで特定されたパラメータで発生する。このような実施例は、少なくとも取引が完了するまでは取引のオファーに関する特定の情報を隠し、特定証券の大口注文が出されることによる市場への影響を、これらのオファーに応じられる前に回避するという利益を提供する。このことはトレーダーに注文、特に大口注文を出すことを促し、よって、市場流動性が高まる。
【００９９】
図２は、いくつかの実施例の方法を実行することのできるサーバーの構成例２００を示す。サーバー２０２はネットワーク２０４を介してセントラルサーバー２０６と通信する。セントラルサーバー２０６はネットワーク２１０を介してサーバー２１４と通信している。実施例では、ネットワーク２０４と２１０は単一のネットワークであってもよいし、または単一のネットワークの一部を形成するものであってもよい。別の実施例では、ネットワーク２０４と２１０は、それらのセントラルサーバー２０６への共通の接続によるものを除き、接続されていない２つの個々のネットワークであってもよい。さらに別の実施例では、ネットワーク２０４と２１０は、インターネットなどの大きなネットワークを介して接続してもよい。
【０１００】
サーバー２０２は売り手側サーバーであってもよいが、これに限定されない。サーバー２１２は買い手側サーバーであってもよいが、これに限定されない。サーバー２０２または２１２は、１つ以上のトレーダー２１８または２１６（のそれぞれ）によって、またはそれらに代わって動作させることができる。実施例では、サーバー２０２の内の１つ以上とサーバー２１２は注文管理システムである。一般的に、サーバー２０２と２１２は、下記に記載するように、セントラルサーバー２０６と通信するようにプログラムされた任意のサーバーであってもよい。サーバー２０２と２１２のいずれも、データベース２２０または２１４（のそれぞれ）を含むか、またはそれらとそれぞれ通信する。データベース２１４は、サーバーと関係するトレーダー２１６（例えば、トレーダーに代わってそのサーバーが動作する）が取引を行うことに興味を持つ、１つ以上の取引に関する情報を含むことができる。こうした情報は、トレーダーが売買に興味を持つ特定証券を含むことができる。こうした情報はまた、トレーダーが取引したいと思っている証券の特定の数量も含むことができる。こうした情報はまた、その価格でトレーダーが特定証券の取引を行いたいと思っている特定価格も含むことができる。
【０１０１】
この説明で、サーバー２０６は「セントラル」サーバーと呼ばれるが、実施例では、セントラルサーバー２０６によって実行される機能は、買い手側サーバーまたは売り手側サーバーを含む、あらゆる適切にプログラムされたサーバーによって実行することができる。実施例では、セントラルサーバー２０６は、取引注文を受信したりクエリーを送信したりするためにセントラルサーバー２０６が通信する登録サーバー及び／又は登録トレーダーのデータベース２０８を含むか、またはそれと通信している。セントラルサーバー２０６はまた、例えば、サーバー２０２または２１２の内の１つによってセントラルサーバーに提出された取引注文のデータベースを含むかまたはそれと通信している。取引注文のデータベースは、提出はされたがまだ応じられていない取引注文を含むことができる。取引注文のデータベースは、登録サーバー及び／又は登録トレーダーのデータベースと共に、もしくは別々にホストされてもよい。
【０１０２】
実施例では、サーバー２０２は取引注文をセントラルサーバー２０６に提出する。この取引注文は、拘束力のあるオファーまたは条件付きオファーである、取引を行うオファーを含む。セントラルサーバー２０６は、下記に詳細を記載するように、サーバー２１２の内の１つ以上にクエリーを送信することによって、取引注文の受信に応えることができる。(尚、種々の実施例において、取引注文の提出とクエリーの受信の両方を行うことのできるサーバーであってもよいが、本明細書では説明を明確にするために、注文提出サーバー２０２とクエリー受信サーバー２１２を分けて説明する。)いくつかの実施例の特徴として、サーバー２１２（またはサーバー２１２が代わって動作するトレーダー２１８）は、取引注文をオープンマーケットプラットフォームに提出する必要はないので、従って、取引注文は公に知られる必要はない。実施例では、セントラルサーバー２０６以外のサーバーはどれも、取引を行うオファーが承諾されて取引が完了する前に、サーバー２１２(またはトレーダー２１８)のアイデンティティを受信する必要はない。
【０１０３】
下記にさらに詳細を示すように、セントラルサーバー２０６によって送信されたクエリーを受信するサーバー２１２はクエリーを評価し、オファーされた取引を承諾するかどうかを決定する。実施例では、取引をユーザーに提示することができ、当該ユーザーはトレーダー２１６またはトレーダー２１６の代理でもよいが、オファーされた取引を承諾するかどうかを決め、サーバー２１２と通信する端末にその決定を入力する。別の実施例では、サーバー２１２はデータベース２１４にクエリーを行い、そのデータベースがオファーされた取引にマッチングする所望される取引の入力を含んでいるかどうかを決定する。(人の入力で、または人の入力なしで)肯定的な応答が示された場合には、サーバー２１２は肯定的な応答をセントラルサーバー２０６に戻す。その後セントラルサーバー２０６はサーバー２０２によって提出された取引注文に示された取引パラメータ（特定証券、特定数量及び／又は特定価格など)で取引の実行を促進する。いくつかの実施例の特徴は、サーバー２１４(またはサーバー２１４が代わって動作するトレーダー２１６)は、それが取引を行うことに興味を持つ取引をオープンマーケットプラットフォームに提出する必要がないことであり、よって、特定証券に対して取引を行いたいというその要望が公に知られないですむ。セントラルサーバー２０６以外のサーバーは、取引を行うオファーが承諾され、取引が完了する前に、サーバー２１４（またはトレーダー２１６）のアイデンティティを受け取る必要はない。
【０１０４】
図３は、いくつかの実施例によって実行することのできる処理例３００を示す。ブロック３０２ａで取引注文が受信される。上述のように、この取引注文はサーバー２０２によって提出され、そしてセントラルサーバー２０６によって受信される。(尚、再度述べるが、明確にするためにこの説明では「セントラルサーバー」という用語を使用しているが、この説明でセントラルサーバー２０６に帰する機能は、適切にプログラムされた任意のサーバーによって実行することができる。)この取引注文は、当該取引注文は別として、他の情報を含む通信の一部として受信することができる。一般に、完了した取引は下記にさらに説明するように、特定数量の特定証券の特定価格での売買であるが、実施例では、最初に受信する取引注文は、こういった情報を全て含まなくてもよい。
【０１０５】
実施例では、取引注文の受信に応じて、セントラルサーバー２０６は、受信した取引注文に応じるか、または一部に応じることのできるマッチング取引注文について、データベース２０８を検索する（ブロック３０４）。上述のように、データベース２０８は、任意のサーバーまたはトレーダーによって事前に提出された、まだ応じられていない取引注文を含むことができる。受信された取引注文に応じるまたはその一部に応じることのできるマッチング取引注文が見つかった場合、セントラルサーバー２０６は、受信した取引注文とマッチング取引注文に示されるエンティティの間の取引の実行を促進させる(ブロック３１４)。取引の実行の促進には、例えば、取引のパラメータを手形交換所に転送して取引を実行することを含むことができる。
【０１０６】
マッチング取引注文がデータベース２０８に見つからない(ステップ３０４)、または見つかったマッチング取引注文が受信した取引注文の一部のみに応じる場合、セントラルサーバー２０６は１つ以上のサーバー２１２にクエリーを送信する。（いくつかの実施例では、セントラルサーバー２０６はクエリーを送信する前にデータベース２０８を検索せず、代わりにブロック３０６にスキップする。）クエリーは、特定証券、特定数量、及び／又は特定価格などの、受信した注文のいくつかのまたは全ての条件を含んでもよい。実施例では、クエリーは、取引注文を提出するサーバーまたはトレーダーを識別することのできる情報を含まない。さらなる実施例では、クエリーは特定数量を含まない。こうした実施例の利点は、取引注文が特に大量の証券を求めている場合、取引注文のアップロードによってもクエリーの送信によっても、いずれかのエンティティがこのような大量の証券を求めているという情報が市場全体に明かされることがないということである。
【０１０７】
クエリーを送信するに際して、セントラルサーバー２０６はクエリーの受信者を識別する（ブロック２０６）。実施例では、クエリーは、セントラルサーバー２０６が認識している１セットの全受信者またはその１セットのサブセットに送信される。例えばデータベース２０８は、セントラルサーバー２０６からクエリーを受信するために登録されたサーバー２１２のデータベースを含むことができる。このデータベースは、トレーダー２１６と関係し、またはトレーダー２１６によって動作され、あるいはトレーダー２１６の代わりに動作されるサーバー２１２にクエリーを送信するためにセントラルサーバー２０６が使うことのできるＩＰアドレス及び／又はその他の識別情報と共に、クエリーを受信するように登録されたトレーダー２１６を含むことができる。(尚、２つ以上のトレーダー２１６を１つのサーバー２１２と関連させることができる。実施例では、セントラルサーバー２０６は、下記にさらに説明するように、選択基準に従って、受信者のサブセットを識別する（ブロック３０６）。受信者のセットまたはサブセットが識別されると、クエリーが送信される（ブロック３０８）。
【０１０８】
セントラルサーバー２０６からクエリーを受信すると、サーバー２１２は、クエリーに対する肯定的な応答が適切及び／又は要求されるかどうかを決定する。サーバー２１２がクエリーに肯定的な応答を送信するかどうかを決定する処理の実施例を下記に説明する。
【０１０９】
サーバー２１２の１つ以上が肯定的な応答をクエリーに送信すると、セントラルサーバー２０６はその肯定的な応答を受信する(ブロック３１０)。肯定的な応答の受信に応じて、セントラルサーバー２１０は取引の実行を促進することができる(ブロック３１２)。
【０１１０】
肯定的な応答は、実施例では、クエリーに示されたパラメータの内の少なくとも１つで取引を行う意図があることを示す、サーバー２１２からの任意の応答であってもよい。肯定的な応答は、取引注文に示される条件を持つ取引に拘束される(例えば、サーバー２１２が代わって動作するエンティティの)意図を示すものであってもよい。取引注文それ自体が完全な取引を特定するのに十分な情報を含まない実施例では、肯定的な応答は取引が実行されるように、不足している情報を供給することができる。例えば、取引注文が特定数量を含まない、あるいは「５０，０００株まで、５，０００株の増分」などの部分的に特定された数量を含む場合には、肯定的な応答は、「２５，０００株」などの、より明確な数量を含むことができる。
【０１１１】
実施例では、取引注文と肯定的な応答は共に、取引注文によって示されるエンティティと肯定的な応答によって示されるエンティティとの間のさらなる交渉なく取引を完了させることのできる十分な特定性を有する取引のパラメータを提供する。例えば、取引注文の特定証券が「大型株のエネルギー会社の株」であるとすると、特定価格は「１株あたり＄５０以下」で、特定数量は「少なくとも５０，０００株」となる。肯定的な応答がさらなる交渉なく取引を完了させることのできるような十分な情報を提供しなければならない実施例では、承諾可能な肯定的な応答は、証券、価格および数量にさらなる特定性を提供するものでなくてはならない。適切な肯定的な応答の例は、１株あたり＄４８でＥｘｘｏｎ−Ｍｏｂｉｌ株７０，０００株を特定する肯定的な応答である。こうした肯定的な応答を受信すると(そして、選択基準がもしあれば、それが満たされるかどうかを決定して)、セントラルサーバー２０６は、取引注文に示されるエンティティと肯定的な応答に示されるエンティティとの間で、１株あたり＄４８でＥｘｘｏｎ−Ｍｏｂｉｌ株７０，０００株の取引注文（例えば、買いまたは売り）で特定される取引を促進させる。
【０１１２】
実施例では、クエリーと肯定的な応答は共に、取引をさらなる交渉なしで完了することのできる十分な特定性を有する、価格以外の取引の全てのパラメータを提供する。このようないくつかの実施例では、システムは市場価格などのデフォルト価格を提供してもよい。
【０１１３】
さらなる実施例では、取引注文は特定証券以外の情報を提供しない。またさらなる実施例では、サーバー２１２に送信されるクエリーは、当該クエリーが基づくサーバー２０６に提出される取引注文よりも少ない情報を含むことができる。よって、例えば、取引注文がマイクロソフト株５０，０００株を売るオファーを含み、一方で、対応するクエリーは数量を特定せずにマイクロソフトの株を買いたいトレーダーがいないかどうかだけを尋ねる。いずれにしても、クエリーが特定数量を含んでいない実施例では、肯定的な応答は少なくとも取引される特定の証券（必要であれば）と、肯定的な応答に示されるエンティティが拘束されたい数量を示すことができる。
【０１１４】
肯定的な応答はまた、クエリーの中で特定されていない取引の価格を供給することもできる。肯定的な応答が価格を含まない場合、セントラルサーバー２０６(またはサーバーが実行の取引を指示する手形交換所)は、取引される証券の市場価格のような、デフォルト価格を供給することができる。クエリー、肯定的な応答およびあらゆるシステムのデフォルトが共に、取引を完了させることのできる十分な特定性を供給するとするならば、一般に、クエリーに含まれていなくてはならない情報、肯定的な応答に含まれていなくてはならない情報に関して制限はない。実施例では、クエリー、肯定的な応答およびシステムデフォルトは共に、さらなる交渉なく取引を完了させることのできる十分な特定性を供給する。次に、取引を完了させるのに十分なクエリーと肯定的な応答の組み合わせのさらなる例をいくつか示す。
【０１１５】
例１：取引注文(およびクエリー)は１株あたり＄５０でマイクロソフト株５０，０００株を売るオファーをする。肯定的な応答はそのオファーを承諾する。１株あたり＄５０でマイクロソフト株５０，０００株の取引が促進される。
【０１１６】
例２：取引注文(およびクエリー)は１株あたり＄５０でマイクロソフト株５０，０００株を売るオファーをする。肯定的な応答は３０，０００株を買うオファーを示す。いくつかの実施例では、肯定的な応答は、当該取引注文を満たしていないので拒絶される。別の実施例では、発行済みの２０，０００株を買いたいという別の肯定的な応答者がいる限り、肯定的な応答は受け入れられ、３０，０００株の取引が促進される。またさらなる実施例では、他の肯定的な応答が受信されたかどうかにかかわらず、肯定的な応答が承諾され、３０，０００株の取引が促進される。
【０１１７】
例３：取引注文(およびクエリー)はマイクロソフト株５０，０００株を売るオファーをし、価格は特定しない。肯定的な応答はさらなる特定性なくオファーを承諾する。いくつかの実施例では、取引は、セントラルサーバー２０６または取引を実行する手形交換所によって供給されるデフォルト価格で促進される。
【０１１８】
例４：取引注文（およびクエリー）は１株あたり＄５０でマイクロソフト株を売るオファーをする。肯定的な応答は１株あたり＄５０でマイクロソフト株を２０，０００株買うオファーをする。肯定的な応答は必要とされる特定の数量と特定の価格を提供したので、取引は１株あたり＄５０でマイクロソフト株２０，０００株に対して促進される。
【０１１９】
例５：取引注文は、１株あたり少なくとも＄５０でマイクロソフト株１００，０００株を売るオファーをする。セントラルサーバーは、売りのオファーがされている株の全体的な数量を特定せずに、１株あたり少なくとも＄５０でマイクロソフトの株の売りをオファーするクエリーを送信する。肯定的な応答は、１株あたり＄５０でマイクロソフトの株を２０，０００株買うオファーをする。肯定的な応答は必要とされる特定の数量と特定の価格を提供したので、取引は１株あたり＄５０でマイクロソフト株２０，０００株に対して促進される。
【０１２０】
例５の実施例では、セントラルサーバー２０６は、最小限の情報のクエリーを行うことによる追加の秘密性のために構成される。例５では、オファーされた株の全体的な数量を明かすことなく、一定数の株に対する取引を完了させることができる。よって実施例では、取引注文は取引のためにオファーされた最大数の株を含むことができ(例えば、セントラルサーバーが取引注文が完全に応じられるかどうかを評価できるように)、サーバー２１２に送信されたクエリーはその情報を隠す。
【０１２１】
取引を完了するのに十分な応答が受信されると、セントラルサーバー２０６は、例えば、取引を実行するか、または取引の実行のための手配を行う手形交換所に取引パラメータを転送することによって、取引の実行を促進する(ブロック３１２)。実施例では、取引を完了するのに十分な肯定的な応答は、肯定的な応答によって示されるエンティティにバインドする。実施例では、エンティティはサーバー２１２を動作するトレーダーであってもよいし、そのトレーダーが代わりにサーバー２１２を動作する機関であってもよい。サーバー２１２は、サーバー２１２へのアクセスを持つ、または発注し、及び／又はクエリーを受信し、そして拘束力のあるまたは拘束力のない肯定的な応答を提出する権限をサーバー２１２に持たせる１つのエンティティまたは複数のエンティティに代わって動作させることができる。
【０１２２】
セントラルサーバー２０６は、複数のサーバー２１２にクエリーを送信すると、複数の肯定的な応答を受信する可能性がある。いくつかの実施例では、セントラルサーバー２０６は、受信した注文にこれらの肯定的な応答を示す。例えば、受信した第１の肯定的な応答が取引を完了するのに十分で、取引を促進するのに十分な場合、セントラルサーバー２０６はその取引の実行を促進する。その取引が取引注文に完全に応じる場合、さらなる肯定的な応答は無視してもよい。第１の肯定的な応答者との取引が完了した後で、その取引注文が少なくとも部分的に応じられていない場合には、セントラルサーバー２０６は受信した第２の肯定的な応答に進むことができる。セントラルサーバー２０６は、取引注文が完全に応じられるまで、肯定的な応答を受信した順番に処理する。あるいは、セントラルサーバー２０６は、受信した順番以外の順番で、受信した肯定的な応答に優先順位をつけることができる。例えば、いくつかの実施例では、肯定的な応答のどれも当該取引注文に応じるのに十分な大量の数量を示していない場合には、一番多い数量のオファーをした応答者が最初に取引を行うように、肯定的な応答に特定された数量に従って受信した肯定的な応答に優先順位をつけることができる。さらに別の実施例では、受信された肯定的な応答は、当該取引注文を提出したサーバー２０２によって供給される基準に従って優先順位をつけることができる。また別の実施例では、受信された肯定的な応答は、サーバー２０２がそれに代わって当該取引注文を提出したエンティティによって供給される基準に従って優先順位をつけてもよい。後者の２つのケースのいずれの場合においても、優先順位の基準は取引注文と一緒に供給することができる。あるいは、優先順位の基準は、サーバー２０２及び／又はサーバー２０２がそれに代わって動作されるエンティティの取引優先順位を含む、データベース２０８のエントリーに記憶することができる。
【０１２３】
いくつかの実施例では、取引注文が応じられた後に未解決の肯定的な応答がある場合、セントラルサーバー２０６は、取引の完了に至らなかった肯定的な応答を提供したあらゆるサーバー２１２に通知を送信することができる。いくつかの実施例では、セントラルサーバー２０６は取引の完了に至った肯定的な応答を提供したあらゆるサーバー２１２に通知を送信することができる。さらに別の実施例では、セントラルサーバー２０６は肯定的な応答を提供したあらゆるサーバー２１２に適切なメッセージを送信することができる。
【０１２４】
実施例では、肯定的な応答の受信に応じて１つ以上の取引が促進された後でも、肯定的な応答がなかった、取引を完了するのに十分な肯定的な応答がなかった、あるいは、注文が少なくとも部分的に応じられなかったなどのいずれかによって、全ての肯定的な応答が処理された後で取引注文が少なくとも部分的に満たされないままである場合には、セントラルサーバー２０６は応じられなかった取引注文をデータベース２０８に記憶することができる。こうした実施例では、データベース２０８に一旦記憶されると、取引注文は他の受注する取引注文へのマッチングに利用することができる。
【０１２５】
別の実施例では、セントラルサーバー２０６は、応じられないまたは部分的に応じられない取引注文に基づき、追加のクエリーを送信することができる。追加のクエリーは、肯定的な応答を促進することのできる取引パラメータの調整を含むことができる。例えば、第１のクエリーが１０，０００株増分である証券の株取引を行うオファーを含み、この第１のクエリーに対する応答処理で、そのクエリーが基づく、部分的に応じられない取引注文が残ったとすると、５，０００株増分で当該証券の取引株をオファーする第２のクエリーを送信することができる。別の実施例では、セントラルサーバー２０６は、特定時刻(４時４５分、または最初のクエリーの６時間後など)に、または特定時間の後、その日の営業終了前の特定時刻、別の市場の開始後の特定時刻、またはその他の時刻に、クエリーを繰り返す、または少なくとも部分的に応じられない取引注文に対応する追加のクエリーを送信するように構成することができる。
【０１２６】
実施例では、応じられないまたは部分的に応じられない取引注文に対して行うことは、サーバー２０２からの情報によって構成可能とすることができる。応じられないまたは部分的に応じられない取引注文を取り扱うための命令は、例えば、取引注文と一緒に提出される通信において、または取引注文を提出する処理の一部分として特定することができる。セントラルサーバー２０６は、各サーバー２０２または各サーバー２０２がそれに代わって動作する各エンティティの、応じられないまたは部分的に応じられない取引注文を取り扱うためのデフォルト命令を記憶することができる。こうしたデフォルト命令は、実施例では、特定の取引注文のために送信された命令によってオーバーライドすることができる。
【０１２７】
先にも述べたように、いくつかの実施例では、セントラルサーバーに提出された取引注文の潜在的取引パートナーを、選択基準に基づいてフィルターにかけることができる（ブロック３０２）。いくつかの実施例では、セントラルサーバー２０６は、選択基準に基づいてクエリーの受信者をフィルターにかけることができる（ブロック３０６）。例えば、セントラルサーバー２０６は可能性あるクエリーの受信者を評価して、彼らが特定要件を満たすかどうかを、クエリーをその受信者に送信する前に決定することができる。
【０１２８】
別の実施例では、セントラルサーバー２０６は、クエリーを１セットの受信者に送信して、選択基準に基づいて、肯定的な応答をフィルターにかけることができる。例えば、肯定的な応答をサーバー２１２から受信すると、セントラルサーバー２０６はサーバー２１２が選択基準を満たすかどうかを評価し、その選択基準が満たされる場合に限って、サーバー２１２の肯定的な応答に基づいて取引を促進することができる。検索基準に基づいて肯定的な応答をフィルターにかける処理の実施形態の例を図４に示す。図３の処理のように、取引注文が受信される(ブロック４０２)。また、図３の処理のように、セントラルサーバー２０６はマッチング取引注文について、データベース２０８を任意選択的に検索し（ブロック４０４）、マッチング取引注文が見つかった場合、取引を促進する(ブロック４１４)。マッチング取引注文が見つからない場合、または取引が促進された後も取引注文が少なくとも部分的に満たされないままであれば、セントラルサーバー２０６は、サーバー２１２のような１セットの受信者にクエリーを送信する（ブロック４０６）。サーバー２１２から肯定的な応答を受信すると(ブロック４０８)、セントラルサーバーはサーバー２１２が選択基準を満たすかどうかを決定する(ブロック４１０)。選択基準が満たされる場合には、該取引注文で示されるエンティティと肯定的な応答で示されるエンティティとの間で取引が促進される（ブロック４１２）。
【０１２９】
クエリーが送信される前に適用されようと、受信された肯定的な応答に適用されようと、選択基準は種々の適切な方法で、サーバーによって受信することができる(ブロック３０２、ブロック４０２)。ブロック３０２とブロック４０２では、選択基準はサーバー２０２から受信され、データベース２０８から読み込まれ、またはあらゆる他のやり方で、セントラルサーバー２０６によって取得または供給されることができる。
【０１３０】
実施例では、特定の取引注文のために、選択基準はサーバー２０２によって提供されることができる。こうした実施例では、例えば取引注文を含む通信の一部として、選択基準はサーバー２０２によって当該取引注文と一緒にセントラルサーバー２０６に送信することができる。例えば、サーバー２０２は、取引注文に基づくクエリーを受信するサーバー２１２を選択する方法をセントラルサーバー２０６に効果的に伝える情報と一緒に、セントラルサーバー２０６に取引注文を送信することができる。(選択基準がとることのできる形式については下記にさらに説明する。)別の実施例では、セントラルサーバー２０６は、サーバー２０２のために好適な選択基準を記憶するデータベース２０８と通信を行っている。例えば、サーバー２０６に取引注文を提出する前にサーバー２０２をセントラルサーバー２０６に登録する実施例では、登録処理によって、取引の優先順位を含む、サーバー２０２に関する情報を含むデータベース２０８に記録を記憶することができる。これらの取引の優先順位は、サーバー２０２によって提出される全ての取引注文に適用される選択基準を含むことができる。あるいは、データベース２０８は、サーバー２０２が特定の取引注文に特定の選択基準を提出しない場合のみ、サーバー２０２に適用されるデフォルト選択基準を記憶することができる。選択基準は、各サーバー２０２及び／又はサーバー２０２がそに代わって取引注文を提出するエンティティに関して記憶することができる。
【０１３１】
実施例では、選択基準は、サーバー２１２またはトレーダー２１６またはそに代わって肯定的な応答が提出されるその他のエンティティの取引履歴の態様に関するものである。こうした実施例では、セントラルサーバー２０６は、潜在的な応答者のサーバー２１２またはサーバー２１２に関係するトレーダーまたはエンティティの取引履歴に関する情報を記憶したデータベース(例えばデータベース２０８)へのアクセスを持つことができる。クエリーは、ある特定の要件を満足させる取引履歴を持つサーバー（またはトレーダーまたはエンティティ）のみに送信することができる。例えば、クエリーの受信者を最も応答しそうなクエリー受信者のみに限定して、取引注文の情報へのアクセスを制御することが望ましい。そのため、選択基準は、ある特定の率を上回る肯定的な応答率を持つサーバー（またはエンティティ）を含むことができる。実施例では、選択基準は特定の証券に対するクエリーの肯定的な応答率に基づく。可能性のある選択基準の例を下記に述べる。
【０１３２】
例１：最小の全体的に肯定的な応答率を持つサーバーまたはエンティティ；全体の肯定的な応答率が５０％を上回るサーバーまたはエンティティ。
【０１３３】
例２：取引注文の特定証券を含む特定証券または異なる特定証券を含む、特定証券に対する最小の肯定的な応答率を持つサーバーまたはエンティティ；マイクロソフト株の肯定的な応答率が６０％を上回るサーバーまたはエンティティ；  Ｅｘｘｏｎ−Ｍｏｂｉｌのデリバティブの肯定的な応答率が７５％を上回るサーバーまたはエンティティ。
【０１３４】
例３：特定のエンティティに関する証券に対する最小の肯定的な応答率を持つサーバーまたはエンティティ；ＩＢＭ関連の証券に対する肯定的な応答率が５０％を上回るサーバーまたはエンティティ。
【０１３５】
例４：特定の産業に関する証券に対する最小の肯定的な応答率を持つサーバーまたはエンティティ：エネルギー取引関連の証券に対する肯定的な応答率が５０％を上回るサーバーまたはエンティティ；石油先物の肯定的な応答率が７５％を上回るサーバーまたはエンティティ。
【０１３６】
例５：特定の時価総額を持つ証券に対する最小の肯定的な応答率を持つサーバーまたはエンティティ；大型株の肯定的な応答率が６０％を上回るサーバーまたはエンティティ。
【０１３７】
例６：列挙された１セットの証券に関する証券に対する最小の肯定的な応答率を持つサーバーまたはエンティティ；コカコーラ株とペプシのプットオプションの肯定的な応答率が５０％を上回るサーバーまたはエンティティ；株とオプションの肯定的な応答率が６０％を上回るサーバーまたはエンティティ；Ｄｅｌｌ、Ｇａｔｅｗａｙ、ＩＢＭの肯定的な応答率が４０％を上回るサーバーまたはエンティティ。
【０１３８】
例７：特定のパラメータによって特徴付けられる証券に対する最小の肯定的な応答率を持つサーバーまたはエンティティ；２０またはそれ以上の株価収益率を持つ会社に関する株の肯定的な応答率が５０％を上回るサーバーまたはエンティティ；ＮＡＳＤＡＱ上場の証券に対する肯定的な応答率が７０％を上回るサーバーまたはエンティティ。
【０１３９】
例８：特定証券または代替の証券に対する最小の肯定的な応答率を持つサーバーまたはエンティティ。
【０１４０】
例９：特定値を上回る注文に対する最小の肯定的な応答率を持つサーバーまたはエンティティ；＄１０Ｍ以上に値する注文に対する肯定的な応答率が５０％を上回るサーバーまたはエンティティ；１，０００，０００株以上の注文に対する肯定的な応答率が３０％を上回るサーバーまたはエンティティ。
【０１４１】
サーバーまたはエンティティの取引履歴に基づく選択基準は、そのために取引履歴の記録が記憶される任意の基準または基準の組み合わせであってもよい。選択基準は最小の肯定的な応答率に基づく必要はなく、取引の出来高、取引の頻度などの取引履歴、または特定の出来高または全体値、またはそれを超えて取引を行う履歴などの態様に基づくものであってもよい。
【０１４２】
例１０：前月中に総価値で＄１０Ｍを上回る少なくとも１つの取引に参加したサーバーまたはエンティティ；総価値で＄１Ｍを上回る少なくとも３つの取引きに参加したサーバーまたはエンティティ。
【０１４３】
例１１：前月中に総計で少なくとも３０Ｍ株を購入したサーバーまたはエンティティ；
前月中にエネルギー産業で少なくとも１Ｍ株を購入したサーバーまたはエンティティ；先
週中に総価値で少なくとも＄３０Ｍを売ったサーバーまたはエンティティ。
【０１４４】
例１２：一日あたり少なくとも１０の取引に参加するサーバーまたはエンティティ；前月中に一日あたり少なくとも１０の取引に参加したサーバーまたはエンティティ；先週中にエネルギーセクターの少なくとも１０の取引に参加したサーバーまたはエンティティ；前年中にマイクロソフトの株を１つも購入していなサーバーまたは  エンティティ。
【０１４５】
一般に、選択基準は、クエリー受信者を選択することのできる（例えば、図３の実施例）、あるいは、肯定的な応答者をフィルターにかけることのできる(例えば、図４の実施例)、どのような基準であってもよい。
【０１４６】
図５は、セントラルサーバー２０６によって送信されるクエリーの受信に応じて、セントラルサーバー２０６によって送信されるクエリーを受信するサーバー２１２によって実行することのできる処理の例である。実施例では、上述のように、セントラルサーバー２０６は、サーバー２０２からの取引注文の受信に応じてクエリーを送信する。また上述のように、セントラルサーバー２０６は、全ての登録された受信者２１２にクエリーを送信するか、または選択基準に基づいて受信者２１２を選択することができる。サーバー２１２はクエリーを受信する（ブロック５０２)。
【０１４７】
いくつかの実施例では、セントラルサーバー２１２は、選択基準を満たさない受信者を含む１セットの受信者にクエリーを送信する；こうしたいくつかの実施例では、ある受信者(またはあるエンティティの代わり)のサーバーからの肯定的な応答のみが、取引を促進するセントラルサーバー２０６に至る。上述のように、こうしたいくつかの実施例では、セントラルサーバー２０６は、肯定的な応答を送信するサーバー(または肯定的な応答によって示されるエンティティ)が選択基準を満たすかどうかを決定することによって、肯定的な応答をフィルターにかける。別の実施例では、クエリーは、受信者サーバー２１２が、サーバー２１２がクエリーの意図される受信者であるかどうか、すなわち、そこからの肯定的な応答が取引を促進するセントラルサーバー２０６に至る受信者であるかどうかを決定するために解釈することのできるキーを含むことができる。このキーは、受信者サーバー２１２によって解釈可能などんなデータのストリングであってもよい。このキーはクエリーと共に、またはクエリーが送信される前後に送信することができる。
【０１４８】
受信者サーバー２１２がキーを受信すると(ブロック５０４)、サーバー２１２はそのキーを解釈して(ブロック５０６)、それが意図される受信者かどうか、すなわち、その肯定的な応答がセントラルサーバー２０６によって引き受けられ、取引を促進するセントラルサーバー２０６に至るかどうかどうかを決定する。当該キーがサーバー２１２は意図される受信者でないことを示す場合、サーバー２１２のさらなる動作は必要とされない。
【０１４９】
当該キーがサーバー２１２が意図される受信者であることを示す場合、サーバー２１２は、クエリーへの肯定的な応答が必要かどうか、すなわち、サーバー２１２と関係するトレーダーまたは他のエンティティが、セントラルサーバー２０６から受信されたクエリーに示されるオファーを受け入れるかどうかを決定することができる。実施例では、サーバー２１２は、サーバー２１２と関係するトレーダーまたは他のエンティティが取引を行う興味を持つ取引のデータベース２１４を検索することができる(ブロック５０８)。データベース２１４がマッチング取引を含む場合、サーバー２１２は肯定的な応答を送信することができる（ブロック５１４）。いくつかの実施例では、肯定的な応答を送信する前に、サーバー２１２は人間オペレーターからの取引の承認を要求する(ブロック５１２)。例えば、サーバー２１２は、人間オペレーターが動作させる端末に対して承認の要求を表示し、その取引への承認または非承認を示す人間オペレーターからの入力を受信することができる。取引を完了させるために追加のパラメータ(例えば、取引が行われる特定証券の数量など)が要求される場合、サーバー２１２は、これらの追加パラメータを人間オペレーターに要求し、それらを人間オペレーターからの入力として受信することができる。人間オペレーターから承認を受信すると(取引を完全に特定するために人間オペレーターが供給するパラメータと共に)、サーバー２１２はクエリーに肯定的な応答を送信することができる(ブロック５１４)。セントラルサーバー２０６はその肯定的な応答を受信し、最初の取引注文を提出したエンティティと肯定的な応答によって示されるエンティティとの間での取引の促進を含む、上述の方法のいずれかによって処理することができる。実施例では、肯定的な応答の送信によって、当該肯定的な応答によって示されるエンティティをさらなる交渉の機会なく取引にバインドする。
【０１５０】
いくつかの実施例では、キーの受信と解釈のステップ(ブロック５０４と５０６)を省略してもよい。キーが使用される実施例では、サーバー２１２はデータベース２１４のマッチング取引の検索（ブロック５０８）及び／又はキーを解釈する前に取引の承認の要求(ブロック５１２)を行うことができる。サーバー２１２は、いくつかの実施例では、データベース２１４内のマッチング取引を検索する前に、人間オペレーターからの承認を要求することができる。さらなる実施例では、サーバー２１２は人間オペレーターからの承認を要求して、マッチング取引を全く検索しないこともできる。
【０１５１】
（ＸＩＩ．追加の実施例）
下記の記載は、請求項ではなく、実施例として解釈されたい。
【０１５２】
１．第１トレーダーに代わって動作する第１サーバーから、特定証券、特定数量および特定価格の内の少なくとも１つを含む第１取引注文と、１つ以上の選択基準を含む情報を受信するステップと、取引注文のデータベースが前記第１取引注文とマッチングする第２取引注文を含まないことを決定するステップと、前記選択基準を満たす複数の第２トレーダーを識別するステップと、各々が該複数の第２トレーダーの内の１つ以上に代わって動作する複数の第２サーバーへ、前記特定証券、前記特定数量および前記特定価格の内の少なくとも１つを含むクエリーを送信するステップと、前記複数の第２トレーダーの内の１つに代わって動作する前記複数の第２サーバーの内の１つから前記クエリーに対する肯定的な応答を受信するステップと、前記第１トレーダーと前記複数の第２トレーダーの内の１つとの間で、前記特定価格で前記特定証券の取引の実行を促進するステップとを含む方法。
【０１５３】
２．複数の第２トレーダーを識別するステップは、該複数の第２トレーダーの各々の取引履歴が前記選択基準の内の１つ以上を満足させることを決定するステップを含む、請求項１に記載の方法。
【０１５４】
３．前記複数の第２トレーダーの各々の前記取引履歴は肯定的な応答率を含み、前記選択基準は最小の肯定的な応答率を含み、前記複数の第２トレーダーの各々の前記取引履歴が前記選択基準の内の１つ以上を満足させることを決定するステップは、前記複数の第２トレーダーの各々の前記肯定的な応答率が前記最小の肯定的な応答率と同等またはそれを上回ることを決定するステップを含む、請求項２に記載の方法。
【０１５５】
４．前記複数の第２トレーダーの各々の前記取引履歴は前記特定証券への肯定的な応答率を含み、前記選択基準は前記特定証券への最小の肯定的な応答率を含み、前記複数の第２トレーダーの各々の前記取引履歴が前記選択基準の内の１つ以上を満足させることを決定するステップは、前記複数の第２トレーダーの各々の前記特定証券への前記肯定的な応答率が前記特定証券への前記最小の肯定的な応答率と同等またはそれを上回ることを決定するステップを含む、請求項２に記載の方法。
【０１５６】
５．前記複数の第２トレーダーの各々の前記取引履歴は１セットの証券の肯定的な応答率を含み、前記選択基準は１セットの証券の最小の肯定的な応答率を含み、前記複数の第２トレーダーの各々の前記取引履歴が前記選択基準の内の１つ以上を満足させることを決定するステップは、前記複数の第２トレーダーの各々の１セットの証券の前記肯定的な応答率が１セットの証券の前記最小の肯定的な応答率と同等またはそれを上回ることを決定するステップを含む、請求項２に記載の方法。
【０１５７】
６．前記１セットの証券は特定のエンティティに関する証券を含む、請求項５に記載の方法。
【０１５８】
７．前記１セットの証券は特定の産業に関する証券を含む、請求項５に記載の方法。
【０１５９】
８．前記１セットの証券は特定の時価総額を有するエンティティと関連する証券を含む、請求項５に記載の方法。
【０１６０】
９．前記１セットの証券は列挙された１セットの証券を含む、請求項５に記載の方法。
【０１６１】
１０．前記１セットの証券は特定のパラメータによって特徴付けられる任意の証券を含む、請求項５に記載の方法。
【０１６２】
１１．前記１セットの証券は前記特定証券と前記特定証券と代替可能な証券を含む、請求項５に記載の方法。
【０１６３】
１２．前記第１サーバーは注文管理システムを含む、請求項１に記載の方法。
【０１６４】
１２ａ．前記第１サーバーは注文管理システムと通信している、請求項１に記載の方法。
【０１６５】
１３．前記複数の第２サーバーの内の少なくとも１つは注文管理システムを含む、請求項１に記載の方法。
【０１６６】
１３ａ．前記複数の第２サーバーの内の少なくとも１つは注文管理システムと通信している、請求項１に記載の方法。
【０１６７】
１４．クエリーを送信するステップは、注文管理システムの読みやすいフォーマットに前記クエリーをフォーマットするステップをさらに含む、請求項１に記載の方法。
【０１６８】
１５．第１サーバーから、特定数量と特定価格の内の少なくとも１つで、特定証券の取引を行うという第１トレーダーの意図を示す取引注文と１つ以上の選択基準を含む情報を受信するステップと、前記選択基準を満たす複数の第２トレーダーを識別するステップと、各々が前記複数の第２トレーダーの内の１つ以上に代わって取引に参加するように動作可能な少なくとも１つの第２サーバーへ、前記特定証券、前記特定数量および前記特定価格の内の少なくとも１つを含むクエリーを送信するステップと、前記少なくとも１つの第２サーバーの内の１つから、前記特定価格で前記特定証券の取引を行うという前記複数の第２トレーダーの内の１つの意図を示す前記クエリーへの肯定的な応答を受信するステップと、前記第１トレーダーと前記複数の第２トレーダーの内の１つとの間で、前記特定価格で前記特定証券の取引の実行を促進するステップとを含む方法。
【０１６９】
１５ａ．前記第２サーバーの少なくとも１つは、ユーザーからの入力に応じて、前記複数の第２トレーダーの内の１つ以上に代わって取引に参加するように動作可能な、請求項１５に記載の方法。
【０１７０】
１５ｂ．前記第２サーバーの少なくとも１つは、ユーザーからの入力なしで、前記複数の第２トレーダーの内の１つ以上に代わって取引に参加するように動作可能な、請求項１５に記載の方法。
【０１７１】
１６．複数の第２トレーダーを識別するステップは、該複数の第２トレーダーの各々の取引履歴が前記選択基準の内の１つ以上を満足させることを決定するステップを含む、請求項１５に記載の方法。
【０１７２】
１７．前記複数の第２トレーダーの各々の前記取引履歴は肯定的な応答率を含み、前記選択基準は最小の肯定的な応答率を含み、前記複数の第２トレーダーの各々の前記取引履歴が前記選択基準の内の１つ以上を満足させることを決定するステップは、前記複数の第２トレーダーの各々の前記肯定的な応答率が前記最小の肯定的な応答率と同等またはそれを上回ることを決定するステップを含む、請求項１６に記載の方法。
【０１７３】
１８．前記複数の第２トレーダーの各々の前記取引履歴は前記特定証券への肯定的な応答率を含み、前記選択基準は前記特定証券への最小の肯定的な応答率を含み、前記複数の第２トレーダーの各々の前記取引履歴が前記選択基準の内の１つ以上を満足させることを決定するステップは、前記複数の第２トレーダーの各々の前記特定証券への前記肯定的な応答率が前記特定証券への前記最小の肯定的な応答率と同等またはそれを上回ることを決定するステップを含む、請求項１７に記載の方法。
【０１７４】
１９．第１サーバーから、特定証券、特定数量および特定価格の内の少なくとも１つを含む取引注文と１つ以上の選択基準を含む情報を受信するステップと、前記選択基準を満たす少なくとも１つの第２サーバーを識別するステップと、前記特定証券、前記特定数量および前記特定価格の内の少なくとも１つを含むクエリーを前記少なくとも１つの第２サーバーへ送信するステップと、前記少なくとも１つの第２サーバーの１つから、前記クエリーへの肯定的な応答を受信するステップと、前記特定価格で前記特定証券の取引注文に対する実行を促進するステップとを含む方法。
【０１７５】
２０．少なくとも１つの第２サーバーを識別するステップは、該少なくとも１つの第２サーバーの取引履歴が前記選択基準の内の１つ以上を満足させることを決定するステップを含む、請求項１９に記載の方法。
【０１７６】
２１．前記少なくとも１つの第２サーバーの前記取引履歴は肯定的な応答率を含み、前記選択基準は最小の肯定的な応答率を含み、前記少なくとも１つの第２サーバーの前記取引履歴が前記選択基準の内の１つ以上を満足させることを決定するステップは、前記少なくとも１つの第２サーバーの前記肯定的な応答率が前記最小の肯定的な応答率と同等またはそれを上回ることを決定するステップを含む、請求項２０に記載の方法。
【０１７７】
２２．前記少なくとも１つの第２サーバーの前記取引履歴は前記特定証券への肯定的な応答率を含み、前記選択基準は前記特定証券への最小の肯定的な応答率を含み、前記少なくとも１つの第２サーバーの前記取引履歴が前記選択基準の内の１つ以上を満足させることを決定するステップは、前記少なくとも１つの第２サーバーの前記特定証券への前記肯定的な応答率が前記特定証券への前記最小の肯定的な応答率と同等またはそれを上回ることを決定するステップを含む、請求項２０に記載の方法。
【０１７８】
２３．第１トレーダーに代わって動作する第１サーバーから、特定証券、特定数量および特定価格の内の少なくとも１つを含む第１取引注文と１つ以上の選択基準を含む情報を受信するステップと、取引注文のデータベースは前記第１取引注文とマッチングする第２取引注文を含まないことを決定するステップと、各々が複数の第２トレーダーの内の１つに代わって動作する複数の第２サーバーへ、前記特定証券、前記特定数量および前記特定価格の内の少なくとも１つを含むクエリーを送信するステップと、前記複数の第２トレーダーの内の１つに代わって動作する前記複数の第２サーバーの内の１つから前記クエリーに対する肯定的な応答を受信するステップと、前記複数の第２トレーダーの内の１つが前記選択基準を満たすことを決定するステップと、前記第１トレーダーと前記複数の第２トレーダーの内の１つとの間で、前記特定価格で前記特定証券の取引の実行を促進するステップとを含む方法。
【０１７９】
２４．前記複数の第２トレーダーの内の１つが前記選択基準を満たすことを決定するステップは、前記複数の第２トレーダーの内の１つの取引履歴が前記選択基準を満たすことを決定するステップを含む、請求項２３に記載の方法。
【０１８０】
２５．前記複数の第２トレーダーの内の１つの前記取引履歴は肯定的な応答率を含み、前記選択基準は最小の肯定的な応答率を含み、前記複数の第２トレーダーの内の１つの前記取引履歴が前記選択基準の内の１つ以上を満足させることを決定するステップは、前記複数の第２トレーダーの内の１つの前記肯定的な応答率が前記最小の肯定的な応答率と同等かまたはそれを上回ることを決定するステップを含む、請求項２４に記載の方法。
【０１８１】
２６．前記複数の第２トレーダーの内の１つの前記取引履歴は前記特定証券への肯定的な応答率を含み、前記選択基準は前記特定証券への最小の肯定的な応答率を含み、前記複数の第２トレーダーの内の１つの前記取引履歴が前記選択基準の内の１つ以上を満足させることを決定するステップは、前記複数の第２トレーダーの内の１つの前記特定証券への前記肯定的な応答率が前記特定証券への前記最小の肯定的な応答率と同等かまたはそれを上回ることを決定するステップを含む、請求項２４に記載の方法。
【０１８２】
２７．特定数量と特定価格の内の少なくとも１つで、特定証券の取引を行うという第１トレーダーの意図を示す取引注文と１つ以上の選択基準を含む情報を第１サーバーから受信するステップと、各々が１つ以上の第２トレーダーに代わって取引に参加するように動作可能な複数の第２サーバーへ、前記特定証券、前記特定数量および前記特定価格の内の少なくとも１つを含むクエリーを送信するステップと、前記複数の第２サーバーの内の１つから、前記特定価格で前記特定証券の取引を行うという前記１つ以上の第２トレーダーの内の１つの意図を示す前記クエリーへの肯定的な応答を受信するステップと、前記１つ以上の第２トレーダーが前記選択基準を満たすことを決定するステップと、前記第１トレーダーと前記１つ以上の第２トレーダーの内の１つとの間で、前記特定価格で前記特定証券の取引の実行を促進するステップとを含む方法。
【０１８３】
２７ａ．前記第２サーバーの少なくとも１つは、ユーザーからの入力に応じて、前記複数の第２トレーダーの内の１つ以上に代わって取引に参加するように動作可能な、請求項２７に記載の方法。
【０１８４】
２７ｂ．前記第２サーバーの内の少なくとも１つは、ユーザーからの入力なしで、前記複数の第２トレーダーの内の１つ以上に代わって取引に参加するように動作可能な、請求項２７に記載の方法。
【０１８５】
２８．前記１つ以上の第２トレーダーの内の１つが前記選択基準を満たすことを決定するステップは、前記１つ以上の第２トレーダーの内の１つの取引履歴が前記選択基準を満たすことを決定するステップを含む、請求項２７に記載の方法。
【０１８６】
２９．前記１つ以上の第２トレーダーの内の１つの前記取引履歴は肯定的な応答率を含み、前記選択基準は最小の肯定的な応答率を含み、前記１つ以上の第２トレーダーの内の１つの前記取引履歴が前記選択基準の内の１つ以上を満足させることを決定するステップは、前記１つ以上の第２トレーダーの内の１つの前記肯定的な応答率が前記最小の肯定的な応答率と同等かまたはそれを上回ることを決定するステップを含む、請求項２８に記載の方法。
【０１８７】
３０．前記１つ以上の第２トレーダーの内の１つの前記取引履歴は前記特定証券への肯定的な応答率を含み、前記選択基準は前記特定証券への最小の肯定的な応答率を含み、前記１つ以上の第２トレーダーの内の１つの前記取引履歴が前記選択基準の内の１つ以上を満足させることを決定するステップは、前記１つ以上の第２トレーダーの内の１つの前記特定証券への前記肯定的な応答率が前記特定証券への前記最小の肯定的な応答率と同等かまたはそれを上回ることを決定するステップを含む、請求項２８に記載の方法。
【０１８８】
３１．特定証券、特定数量および特定価格の内の少なくとも１つを含む取引注文と１つ以上の選択基準を含む情報を第１サーバーから受信するステップと、少なくとも１つの第２サーバーへ、前記特定証券、前記特定数量および前記特定価格の内の少なくとも１つを含むクエリーを送信するステップと、前記少なくとも１つの第２サーバーの内の１つから前記クエリーに対する肯定的な応答を受信するステップと、前記少なくとも１つの第２サーバーの内の１つが前記選択基準を満たすことを決定するステップと、前記特定価格で前記特定証券の前記取引注文に対する取引の実行を促進するステップとを含む方法。
【０１８９】
３２．前記１つ以上の第２トレーダーの内の１つが前記選択基準を満たすことを決定するステップは、前記１つ以上の第２トレーダーの内の１つの取引履歴が前記選択基準を満たすことを決定するステップを含む、請求項３１に記載の方法。
【０１９０】
３３．前記１つ以上の第２トレーダーの内の１つの前記取引履歴は前記特定証券への肯定的な応答率を含み、前記選択基準は前記特定証券への最小の肯定的な応答率を含み、前記１つ以上の第２トレーダーの内の１つの前記取引履歴が前記選択基準の内の１つ以上を満足させることを決定するステップは、前記１つ以上の第２トレーダーの内の１つの前記特定証券への前記肯定的な応答率が前記特定証券への前記最小の肯定的な応答率と同等かまたはそれを上回ることを決定するステップを含む、請求項３２に記載の方法。
【０１９１】
３４．前記１つ以上の第２トレーダーの内の１つの前記取引履歴は前記特定証券への肯定的な応答率を含み、前記選択基準は前記特定証券への最小の肯定的な応答率を含み、前記１つ以上の第２トレーダーの内の１つの前記取引履歴が前記選択基準の内の１つ以上を満たすことを決定するステップは、前記１つ以上の第２トレーダーの内の１つの前記特定証券への前記肯定的な応答率が前記特定証券への前記最小の肯定的な応答率と同等かまたはそれを上回ることを決定するステップを含む、請求項３２に記載の方法。
【０１９２】
３５．第１サーバーから、特定数量と特定価格の内の少なくとも１つで、特定証券の取引を行うという第１トレーダーの意図を示す取引注文を含む情報を受信するステップと、１つ以上の選択基準を満たす複数の第２トレーダーを識別するステップと、各々が複数の第２トレーダーの内の１つ以上に代わって取引に参加するように動作可能な少なくとも１つの第２サーバーへ、前記特定証券、前記特定数量および前記特定価格の内の少なくとも１つを含むクエリーを送信するステップと、前記少なくとも１つの第２サーバーの内の１つから、前記特定価格で前記特定証券の取引を行うという前記複数の第２トレーダーの内の１つの意図を示す前記クエリーへの肯定的な応答を受信するステップと、前記第１トレーダーと前記複数の第２トレーダーの内の１つとの間で、前記特定価格で前記特定証券の取引の実行を促進するステップとを含む方法。
【０１９３】
３５ａ．前記第２サーバーの内の少なくとも１つは、ユーザーからの入力に応じて、前記複数の第２トレーダーの内の１つ以上に代わって取引に参加するように動作可能な、請求項３５に記載の方法。
【０１９４】
３５ｂ．前記第２サーバーの内の少なくとも１つは、ユーザーからの入力なしで、前記複数の第２トレーダーの内の１つ以上に代わって取引に参加するように動作可能な、請求項３５に記載の方法。
【０１９５】
３６．前記第１サーバーから前記１つ以上の選択基準の内の少なくとも１つを受信するステップをさらに含む、請求項３５に記載の方法。
【０１９６】
３７．前記情報は前記１つ以上の選択基準の内の少なくとも１つをさらに含む、請求項３６に記載の方法。
【０１９７】
３８．データベースから前記１つ以上の選択基準の内の少なくとも１つを取り出すステップをさらに含む、請求項３５に記載の方法。
【０１９８】
３９．第１サーバーから、特定数量と特定価格の内の少なくとも１つで、特定証券の取引を行うという第１トレーダーの意図を示す取引注文を含む情報を受信するステップと、各々が１つ以上の第２トレーダーに代わって取引に参加するように動作可能な複数の第２サーバーへ、前記特定証券、前記特定数量および前記特定価格の内の少なくとも１つを含むクエリーを送信するステップと、前記複数の第２サーバーの内の１つから、前記特定価格で前記特定証券の取引を行うという前記１つ以上の第２トレーダーの内の１つの意図を示す前記クエリーへの肯定的な応答を受信するステップと、前記１つ以上の第２トレーダーが１つ以上の選択基準を満たすことを決定するステップと、前記第１トレーダーと前記１つ以上の第２トレーダーの内の１つとの間で、前記特定価格で前記特定証券の取引の実行を促進するステップとを含む方法。
【０１９９】
３９ａ．前記第２サーバーの内の少なくとも１つは、ユーザーからの入力に応じて、前記複数の第２トレーダーの内の１つ以上に代わって取引に参加するように動作可能な、請求項３９に記載の方法。
【０２００】
３９ｂ．前記第２サーバーの内の少なくとも１つは、ユーザーからの入力なしで、前記複数の第２トレーダーの内の１つ以上に代わって取引に参加するように動作可能な、請求項３９に記載の方法。
【０２０１】
４０．前記第１サーバーから前記１つ以上の選択基準の内の少なくとも１つを受信するステップをさらに含む、請求項３９に記載の方法。
【０２０２】
４１．前記情報は前記１つ以上の選択基準の内の少なくとも１つをさらに含む、請求項４０に記載の方法。
【０２０３】
４２．データベースから前記１つ以上の選択基準の内の少なくとも１つを取り出すステップをさらに含む、請求項３９に記載の方法。
【０２０４】
４３．第１サーバーから、特定数量と特定価格の内の少なくとも１つで、特定証券の取引を行うという第１トレーダーの意図を示す取引注文を含む情報を受信するステップと、第２トレーダーに代わって取引に参加するように動作可能な第２サーバーへ、前記特定証券、前記特定数量および前記特定価格の内の少なくとも１つを含むクエリーを送信するステップと、前記第２サーバーから、前記クエリーへの肯定的な応答を受信するステップと、前記第１トレーダーと前記第２トレーダーとの間で、前記特定価格で前記特定証券の取引の実行を促進するステップとを含む方法。
【０２０５】
４３ａ．前記第２サーバーの内の少なくとも１つは、ユーザーからの入力に応じて、前記複数の第２トレーダーの内の１つ以上に代わって取引に参加するように動作可能な、請求項４３に記載の方法。
【０２０６】
４３ｂ．前記第２サーバーの内の少なくとも１つは、ユーザーからの入力なしで、前記複数の第２トレーダーの内の１つ以上に代わって取引に参加するように動作可能な、請求項４３に記載の方法。
【０２０７】
４４．前記第２サーバーへ、該第２サーバーからの応答が所望されることを示すキーを送信するステップをさらに含む、請求項４３に記載の方法。
【０２０８】
４５．前記クエリーは前記キーを含む、請求項４４に記載の方法。
【０２０９】
４６．第１サーバーから特定証券の取引を行うという第１トレーダーの意図を示す取引注文を含む情報を受信するステップと、第２トレーダーに代わって取引に参加するように動作可能な第２サーバーへ、前記特定証券を示すクエリーを送信するステップと、前記第２サーバーから、前記クエリーへの肯定的な応答を受信するステップと、前記第１トレーダーと前記第２トレーダーとの間で、前記特定数量の前記特定証券の取引の実行を促進するステップとを含む方法。
【０２１０】
４６ａ．前記取引注文は前記特定数量を含む、請求項４６に記載の方法。
【０２１１】
４６ｂ．前記クエリーに対する前記肯定的な応答は前記特定数量を含む、請求項４６に記載の方法。
【０２１２】
４７．前記取引注文は、前記取引の価格を決定するのに十分な情報をさらに含み、実行を促進するステップは、前記決定された価格で、前記特定数量の前記特定証券に関して、前記第１トレーダーと前記第２トレーダーとの間で取引の実行を促進するステップをさらに含む、請求項４６に記載の方法。
【０２１３】
４８．前記決定された価格は特定価格である、請求項４７に記載の方法。
【０２１４】
４９．前記取引注文は特定価格を含み、実行を促進するステップは、前記特定価格で、前記特定数量の前記特定証券に関して、前記第１トレーダーと前記第２トレーダーとの間で取引の実行を促進するステップをさらに含む、請求項４６に記載の方法。
【０２１５】
５０．実行を促進するステップは、市場価格で、前記特定数量の前記特定証券に関して、前記第１トレーダーと前記第２トレーダーとの間で取引の実行を促進するステップをさらに含む、請求項４６に記載の方法。
【０２１６】
５０ａａ．実行を促進するステップは、市場中央値価格で、前記特定数量の前記特定証券に関して、前記第１トレーダーと前記第２トレーダーとの間で取引の実行を促進するステップをさらに含む、請求項４６に記載の方法。
【０２１７】
５０ａ．第１サーバーから特定証券の取引を行うという第１トレーダーの意図を示す取引注文を含む情報を受信するステップと、各々が１つ以上の第２トレーダーに代わって取引に参加するように動作可能な複数の第２サーバーへ、前記特定証券を示すクエリーを送信するステップと、前記複数の第２サーバーの内の１つから、前記クエリーへの、前記特定証券の取引を行うという前記１つ以上の第２トレーダーの内の１つの意図を示す前記肯定的な応答を受信するステップと、前記１つ以上の第２トレーダーの内の１つが１つ以上の選択基準を満たすことを決定するステップと、前記第１トレーダーと前記１つ以上の第２トレーダーの内の１つとの間で、前記特定数量の前記特定証券の取引の実行を促進するステップとを含む方法。
【０２１８】
５０ｂ．前記取引注文は前記特定数量を含む、請求項５０ａに記載の方法。
【０２１９】
５０ｃ．前記クエリーに対する前記肯定的な応答は前記特定数量を含む、請求項５０ａに記載の方法。
【０２２０】
５０ｄ．前記取引注文は、前記取引の価格を決定するのに十分な情報をさらに含み、実行を促進するステップは、前記決定された価格で、前記特定数量の前記特定証券に関して、前記第１トレーダーと前記第２トレーダーとの間で取引の実行を促進するステップをさらに含む、請求項５０ａに記載の方法。
【０２２１】
５０ｅ．前記決定された価格は特定価格である、請求項５０ａに記載の方法。
【０２２２】
５０ｆ．前記取引注文は特定価格を含み、実行を促進するステップは、前記特定価格で、前記特定数量の前記特定証券に関して、前記第１トレーダーと前記第２トレーダーとの間で取引の実行を促進するステップをさらに含む、請求項５０ａに記載の方法。
【０２２３】
５０ｇ．実行を促進するステップは、市場価格で、前記特定数量の前記特定証券に関して、前記第１トレーダーと前記第２トレーダーとの間で取引の実行を促進するステップをさらに含む、請求項５０ａに記載の方法。
【０２２４】
５０ｇａ．実行を促進するステップは、市場中央値価格で、前記特定数量の前記特定証券に関して、前記第１トレーダーと前記第２トレーダーとの間で取引の実行を促進するステップをさらに含む、請求項５０ａに記載の方法。
【０２２５】
５０ｈ．前記１つ以上の第２トレーダーの内の１つが前記選択基準を満たすことを決定するステップは、前記１つ以上の第２トレーダーの内の１つの取引履歴が前記選択基準を満たすことを決定するステップを含む、請求項５０ａに記載の方法。
【０２２６】
５０ｉ．前記１つ以上の第２トレーダーの内の１つの前記取引履歴は肯定的な応答率を含み、前記選択基準は最小の肯定的な応答率を含み、前記１つ以上の第２トレーダーの内の１つの前記取引履歴が前記選択基準の内の１つ以上を満たすことを決定するステップは、前記１つ以上の第２トレーダーの内の１つの前記肯定的な応答率が前記最小の肯定的な応答率と同等かまたはそれを上回ることを決定するステップを含む、請求項５０ｈに記載の方法。
【０２２７】
５０ｊ．前記１つ以上の第２トレーダーの内の１つの前記取引履歴は前記特定証券への肯定的な応答率を含み、前記選択基準は前記特定証券への最小の肯定的な応答率を含み、前記１つ以上の第２トレーダーの内の１つの前記取引履歴が前記選択基準の内の１つ以上を満たすことを決定するステップは、前記１つ以上の第２トレーダーの内の１つの前記特定証券への前記肯定的な応答率が前記特定証券への前記最小の肯定的な応答率と同等かまたはそれを上回ることを決定するステップを含む、請求項５０ｈに記載の方法。
【０２２８】
５０ｋ．特定証券の取引を行うという第１トレーダーの意図を示す取引注文を含む情報を第１サーバーから受信するステップと、１つ以上の選択基準を満たす複数の第２トレーダーを識別するステップと、各々が前記複数の第２トレーダーの内の１つ以上に代わって取引に参加するように動作可能な少なくとも１つの第２サーバーへ、前記特定証券を示すクエリーを送信するステップと、前記複数の第２サーバーの内の１つから、前記特定証券の取引を行うという前記１つ以上の第２トレーダーの内の１つの意図を示す前記クエリーへの肯定的な応答を受信するステップと、前記第１トレーダーと前記１つ以上の第２トレーダーの内の１つとの間で、前記特定数量の前記特定証券の取引の実行を促進するステップとを含む方法。
【０２２９】
５０ｌ．前記取引注文は前記特定数量を含む、請求項５０ｋに記載の方法。
【０２３０】
５０ｍ．前記クエリーに対する前記肯定的な応答は前記特定数量を含む、請求項５０ｋに記載の方法。
【０２３１】
５０ｎ．前記取引注文は、前記取引の価格を決定するのに十分な情報をさらに含み、実行を促進するステップは、前記決定された価格で、前記特定数量の前記特定証券に関して、前記第１トレーダーと前記第２トレーダーとの間で取引の実行を促進するステップをさらに含む、請求項５０ｋに記載の方法。
【０２３２】
５０ｏ．前記決定された価格は特定価格である、請求項５０ｋに記載の方法。
【０２３３】
５０ｐ．前記取引注文は特定価格を含み、実行を促進するステップは、前記特定価格で、前記特定数量の前記特定証券に関して、前記第１トレーダーと前記第２トレーダーとの間で取引の実行を促進するステップをさらに含む、請求項５０ｋに記載の方法。
【０２３４】
５０ｑ．実行を促進するステップは、市場価格で、前記特定数量の前記特定証券に関して、前記第１トレーダーと前記第２トレーダーとの間で取引の実行を促進するステップをさらに含む、請求項５０ｋに記載の方法。
【０２３５】
５０ｑａ．実行を促進するステップは、市場中央値価格で、前記特定数量の前記特定証券に関して、前記第１トレーダーと前記第２トレーダーとの間で取引の実行を促進するステップをさらに含む、請求項５０ｋに記載の方法。
【０２３６】
５０ｒ．前記１つ以上の第２トレーダーの内の１つが前記選択基準を満たすことを決定するステップは、前記１つ以上の第２トレーダーの内の１つの取引履歴が前記選択基準を満たすことを決定するステップを含む、請求項５０ｋに記載の方法。
【０２３７】
５０ｓ．前記１つ以上の第２トレーダーの内の１つの前記取引履歴は肯定的な応答率を含み、前記選択基準は最小の肯定的な応答率を含み、前記１つ以上の第２トレーダーの内の１つの前記取引履歴が前記選択基準の内の１つ以上を満足させることを決定するステップは、前記１つ以上の第２トレーダーの内の１つの前記肯定的な応答率が前記最小の肯定的な応答率と同等またはそれを上回ることを決定するステップを含む、請求項５０ｒに記載の方法。
【０２３８】
５０ｔ．前記１つ以上の第２トレーダーの内の１つの前記取引履歴は前記特定証券への肯定的な応答率を含み、前記選択基準は前記特定証券への最小の肯定的な応答率を含み、前記１つ以上の第２トレーダーの内の１つの前記取引履歴が前記選択基準の内の１つ以上を満たすことを決定するステップは、前記１つ以上の第２トレーダーの内の１つの前記特定証券への前記肯定的な応答率が前記特定証券への前記最小の肯定的な応答率と同等かまたはそれを上回ることを決定するステップを含む、請求項５０ｒに記載の方法。
【０２３９】
５１．キーと、特定証券、特定数量および特定価格の内の少なくとも１つを含むクエリーを含む情報を第１サーバーから受信するステップと、前記キーに基づいて、前記クエリーに対する応答が所望されることを決定するステップと、データベースから、前記特定証券、特定数量および特定価格の内の少なくとも１つを含むマッチング取引注文を取り出すステップと、ユーザーが動作させるインターフェースに承認の要求を提供するステップと、前記ユーザーが動作させる前記インターフェースから承認の前記要求に対する応答を受信するステップと、前記特定価格で前記特定証券に関する取引に拘束される意図を示す肯定的な応答を前記クエリーに送信するステップとを含む方法。
【０２４０】
５２．取引注文の前記データベースは注文管理システムにある、請求項５１に記載の方法。
【０２４１】
５２ａ．取引注文の前記データベースは注文管理システムと通信している、請求項５１に記載の方法。
【０２４２】
５２ｂ．取引注文の前記データベースは注文管理システムの一部である、請求項５１に記載の方法。
【０２４３】
５３．特定証券、特定数量および特定価格の内の少なくとも１つを含むクエリーを第１サーバーから受信するステップと、データベースから、前記特定証券、特定数量および特定価格の内の少なくとも１つを含むマッチング取引注文を取り出すステップと、ユーザーが動作させるインターフェースに承認の要求を提供するステップと、前記ユーザーが動作させる前記インターフェースから承認の前記要求に対する応答を受信するステップと、前記特定価格で前記特定証券に関する取引に拘束される意図を示す肯定的な応答を前記クエリーに送信するステップとを含む方法。
【０２４４】
５４．取引注文の前記データベースは注文管理システムにある、請求項５３に記載の方法。
【０２４５】
５４ａ．取引注文の前記データベースは注文管理システムと通信している、請求項５３に記載の方法。
【０２４６】
５４ｂ．取引注文の前記データベースは注文管理システムの一部である、請求項５３に記載の方法。
【０２４７】
５５．特定証券、特定数量および特定価格の内の少なくとも１つを含むクエリーを第１サーバーから受信するステップと、データベースから、前記特定証券、特定数量および特定価格の内の少なくとも１つを含むマッチング取引注文を取り出すステップと、前記特定価格で前記特定証券に関する取引に拘束される意図を示す肯定的な応答を前記クエリーに送信するステップとを含む方法。
【０２４８】
５６．取引注文の前記データベースは注文管理システムにある、請求項５５に記載の方法。
【０２４９】
５６ａ．取引注文の前記データベースは注文管理システムと通信している、請求項５５に記載の方法。
【０２５０】
５６ｂ．取引注文の前記データベースは注文管理システムの一部である、請求項５５に記載の方法。
【０２５１】
５７．特定証券を含むクエリーを第１サーバーから受信するステップと、データベースから、少なくとも前記特定証券と特定数量を含むマッチング取引注文を取り出すステップと、前記特定数量の前記特定証券の取引に拘束される意図を示す肯定的な応答を前記クエリーに送信するステップとを含む方法。
【０２５２】
５８．前記クエリーは、前記取引の価格を決めるのに十分な情報をさらに含み、前記肯定的な応答は、前記決められた価格で取引に拘束される意図をさらに示す、請求項５７に記載の方法。
【０２５３】
５９．前記決められた価格は特定価格である、請求項５８に記載の方法。
【０２５４】
６０．前記クエリーは特定価格をさらに含み、前記肯定的な応答は、前記特定価格で取引に拘束される意図をさらに示す、請求項５７に記載の方法。
【０２５５】
６１．前記肯定的な応答は市場価格で取引に拘束される意図をさらに示す、請求項５７に記載の方法。
【０２５６】
６１ａ．前記肯定的な応答は、市場中央値価格で取引に拘束される意思をさらに示す、請求項５７に記載の方法。
【０２５７】
６２．取引注文の前記データベースは注文管理システムにある、請求項５７に記載の方法。
【０２５８】
６２ａ．取引注文の前記データベースは注文管理システムと通信している、請求項５７に記載の方法。
【０２５９】
６２ｂ．取引注文の前記データベースは注文管理システムの一部である、請求項５７に記載の方法。
【０２６０】
いくつかの態様を記載しておく。
〔態様１〕
第１トレーダーに代わって動作する第１サーバーから、特定証券、特定数量および特定価格の内の少なくとも１つを含む第１取引注文と１つ以上の選択基準を含む情報を受信するステップと；
取引注文のデータベースは前記第１取引注文とマッチングする第２取引注文を含まないことを決定するステップと；
前記選択基準を満たす複数の第２トレーダーを識別するステップと；
各々が前記複数の第２トレーダーの内の１つ以上に代わって動作する複数の第２サーバーへ、前記特定証券、前記特定数量および前記特定価格の内の少なくとも１つを含むクエリーを送信するステップと；
前記複数の第２トレーダーの内の１つに代わって動作する前記複数の第２サーバーの内の１つから前記クエリーに対する肯定的な応答を受信するステップと；
前記第１トレーダーと前記複数の第２トレーダーの内の１つとの間で、前記特定価格で前記特定証券の取引の実行を促進するステップと
を含む方法。
〔態様２〕
複数の第２トレーダーを識別するステップは、該複数の第２トレーダーの各々の取引履歴が前記選択基準の内の１つ以上を満足させることを決定するステップを含む、態様１に記載の方法。
〔態様３〕
前記複数の第２トレーダーの各々の前記取引履歴は肯定的な応答率を含み、前記選択基準は最小の肯定的な応答率を含み、前記複数の第２トレーダーの各々の前記取引履歴が前記選択基準の内の１つ以上を満足させることを決定するステップは、前記複数の第２トレーダーの各々の前記肯定的な応答率が前記最小の肯定的な応答率と同等またはそれを上回ることを決定するステップを含む、態様２に記載の方法。
〔態様４〕
前記複数の第２トレーダーの各々の前記取引履歴は前記特定証券への肯定的な応答率を含み、前記選択基準は前記特定証券への最小の肯定的な応答率を含み、前記複数の第２トレーダーの各々の前記取引履歴が前記選択基準の内の１つ以上を満足させることを決定するステップは、前記複数の第２トレーダーの各々の前記特定証券への前記肯定的な応答率が前記特定証券への前記最小の肯定的な応答率と同等またはそれを上回ることを決定するステップを含む、態様２に記載の方法。
〔態様５〕
前記複数の第２トレーダーの各々の前記取引履歴は１セットの証券の肯定的な応答率を含み、前記選択基準は１セットの証券の最小の肯定的な応答率を含み、前記複数の第２トレーダーの各々の前記取引履歴が前記選択基準の内の１つ以上を満足させることを決定するステップは、前記複数の第２トレーダーの各々の１セットの証券の前記肯定的な応答率が１セットの証券の前記最小の肯定的な応答率と同等またはそれを上回ることを決定するステップを含む、態様２に記載の方法。
〔態様６〕
前記１セットの証券は特定のエンティティに関する証券を含む、態様５に記載の方法。
〔態様７〕
前記１セットの証券は特定の産業に関する証券を含む、態様５に記載の方法。
〔態様８〕
前記１セットの証券は特定の時価総額を有するエンティティと関連する証券を含む、態様５に記載の方法。
〔態様９〕
前記１セットの証券は列挙された１セットの証券を含む、態様５に記載の方法。
〔態様１０〕
前記１セットの証券は特定のパラメータによって特徴付けられる任意の証券を含む、態様５に記載の方法。
〔態様１１〕
前記１セットの証券は前記特定証券と前記特定証券と代替可能な証券を含む、態様５に記載の方法。
〔態様１２〕
前記第１サーバーは注文管理システムを含む、態様１に記載の方法。
〔態様１３〕
前記第１サーバーは注文管理システムと通信している、態様１に記載の方法。
〔態様１４〕
前記複数の第２サーバーの内の少なくとも１つは注文管理システムを含む、態様１に記載の方法。
〔態様１５〕
前記複数の第２サーバーの内の少なくとも１つは注文管理システムと通信している、態様１に記載の方法。
〔態様１６〕
クエリーを送信するステップは、注文管理システムの読みやすいフォーマットに前記クエリーをフォーマットするステップをさらに含む、態様１に記載の方法。
〔態様１７〕
第１サーバーから、特定数量と特定価格の内の少なくとも１つで、特定証券の取引を行うという第１トレーダーの意図を示す取引注文と１つ以上の選択基準を含む情報を受信するステップと；
取引注文のデータベースは前記第１取引注文とマッチングする第２取引注文を含まない
ことを決定するステップと；
前記選択基準を満たす複数の第２トレーダーを識別するステップと；
各々が前記複数の第２トレーダーの内の１つ以上に代わって取引に参加するように動作可能な少なくとも１つの第２サーバーへ、前記特定証券、前記特定数量および前記特定価格の内の少なくとも１つを含むクエリーを送信するステップと；
前記少なくとも１つの第２サーバーの内の１つから、前記特定価格で前記特定証券の取引を行うという前記複数の第２トレーダーの内の１つの意図を示す前記クエリーへの肯定的な応答を受信するステップと；
前記第１トレーダーと前記複数の第２トレーダーの内の１つとの間で、前記特定価格で前記特定証券の取引の実行を促進するステップと
を含む方法。
〔態様１８〕
前記第２サーバーの少なくとも１つは、ユーザーからの入力に応じて、前記複数の第２トレーダーの内の１つ以上に代わって取引に参加するように動作可能な、態様１７に記載の方法。
〔態様１９〕
前記第２サーバーの少なくとも１つは、ユーザーからの入力なしで、前記複数の第２トレーダーの内の１つ以上に代わって取引に参加するように動作可能な、態様１７に記載の方法。
〔態様２０〕
複数の第２トレーダーを識別するステップは、該複数の第２トレーダーの各々の取引履歴が前記選択基準の内の１つ以上を満足させることを決定するステップを含む、態様１７に記載の方法。
〔態様２１〕
前記複数の第２トレーダーの各々の前記取引履歴は肯定的な応答率を含み、前記選択基準は最小の肯定的な応答率を含み、前記複数の第２トレーダーの各々の前記取引履歴が前記選択基準の内の１つ以上を満足させることを決定するステップは、前記複数の第２トレーダーの各々の前記肯定的な応答率が前記最小の肯定的な応答率と同等またはそれを上回ることを決定するステップを含む、態様２０に記載の方法。
〔態様２２〕
前記複数の第２トレーダーの各々の前記取引履歴は前記特定証券への肯定的な応答率を含み、前記選択基準は前記特定証券への最小の肯定的な応答率を含み、前記複数の第２トレーダーの各々の前記取引履歴が前記選択基準の内の１つ以上を満足させることを決定するステップは、前記複数の第２トレーダーの各々の前記特定証券への前記肯定的な応答率が前記特定証券への前記最小の肯定的な応答率と同等またはそれを上回ることを決定するステップを含む、態様２０に記載の方法。
〔態様２３〕
第１サーバーから、特定証券、特定数量および特定価格の内の少なくとも１つを含む取引注文と１つ以上の選択基準を含む情報を受信するステップと；
前記選択基準を満たす少なくとも１つの第２サーバーを識別するステップと；
前記特定証券、前記特定数量および前記特定価格の内の少なくとも１つを含むクエリーを前記少なくとも１つの第２サーバーへ送信するステップと；
前記少なくとも１つの第２サーバーの１つから、前記クエリーへの肯定的な応答を受信するステップと；
前記特定価格で前記特定証券の取引注文に対する実行を促進するステップと
を含む方法。
〔態様２４〕
少なくとも１つの第２サーバーを識別するステップは、該少なくとも１つの第２サーバーの取引履歴が前記選択基準の内の１つ以上を満足させることを決定するステップを含む、態様２３に記載の方法。
〔態様２５〕
前記少なくとも１つの第２サーバーの前記取引履歴は肯定的な応答率を含み、前記選択基準は最小の肯定的な応答率を含み、前記少なくとも１つの第２サーバーの前記取引履歴が前記選択基準の内の１つ以上を満足させることを決定するステップは、前記少なくとも１つの第２サーバーの前記肯定的な応答率が前記最小の肯定的な応答率と同等またはそれを上回ることを決定するステップを含む、態様２４に記載の方法。
〔態様２６〕
前記少なくとも１つの第２サーバーの前記取引履歴は前記特定証券への肯定的な応答率を含み、前記選択基準は前記特定証券への最小の肯定的な応答率を含み、前記少なくとも１つの第２サーバーの前記取引履歴が前記選択基準の内の１つ以上を満足させることを決定するステップは、前記少なくとも１つの第２サーバーの前記特定証券への前記肯定的な応答率が前記特定証券への前記最小の肯定的な応答率と同等またはそれを上回ることを決定するステップを含む、態様２４に記載の方法。
【図１】
2020077441.tif 000003
【図２】
2020077441.tif 000004
【図３】
2020077441.tif 000005
【図４】
2020077441.tif 000006
【図５】
2020077441.tif 000007